(57)【特許請求の範囲】
【請求項１】
自装置と対向配置され自装置と同一構成の対向装置との間に予め設定された主信号通信経路を介して、この対向装置側に送信すべき主信号を送信する主信号送信手段と、
前記対向装置との間に予め設定された他の主信号通信経路を介してこの対向装置から自装置側に送信すべき他の主信号を受信する主信号受信手段と、
この主信号受信手段が主信号を受信するまでに障害が発生したときこれを表わした障害情報を作成する障害情報作成手段と、
この障害情報作成手段によって作成された障害情報中に予め定めた障害情報が存在したときこれらの障害情報を前記対向装置との間に予め設定された障害情報通信経路を用いてこれらの障害情報ごとにそれぞれ送信する１または複数の障害情報送信手段と、
これらの障害情報送信手段で送信される障害情報にこの障害情報が送信される障害情報通信経路を示す通信経路情報を付加した通信経路情報付加情報を前記対向装置へ送信する通信経路情報付加情報送信手段と、
前記自装置から前記主信号送信手段によって前記対向装置に信号が送信されるまでに障害が発生したときこれを表わした障害情報の中で予め定められた障害情報を前記対向装置との間に予め設定された他の障害情報通信経路を用いて受信する１または複数の障害情報受信手段と、
これらの障害情報受信手段によって障害情報が受信されなかったとき受信されなかった障害情報に対応して予め定められた障害情報通信経路を示す通信経路情報を取得する未受信通信経路情報取得手段と、
前記情報受信手段が受信する障害情報に障害情報を受信する前記他の障害情報通信経路を示す通信経路情報が付加された通信経路情報付加情報を前記対向装置から受信する通信経路情報付加情報受信手段と、
この通信経路情報付加情報受信手段が受信した通信経路情報付加情報の通信経路情報と同一の障害情報通信経路を示す通信経路情報が未受信通信経路情報取得手段に取得されていたときに通信経路情報付加情報受信手段で受信した障害情報を前記他の障害情報通信経路から前記情報受信手段によって受信された障害情報として扱う未受信情報補完手段
とを具備することを特徴とする情報送受信装置。
【請求項２】
前記主信号送信手段が送信する主信号に少なくとも１つの前記障害情報送信手段が送信する障害情報を組み込むことを特徴とする請求項１記載の情報送受信装置。
【請求項３】
前記主信号受信手段が受信する他の主信号に少なくとも１つの前記障害情報受信手段が受信する障害情報が組み込まれていて、この前記障害情報受信手段は前記主信号受信手段が受信した他の主信号に組み込まれている障害情報を取得することを特徴とする請求項１記載の情報送受信装置。
【請求項４】
前記障害情報は、前記主信号通信経路または前記他の主信号通信経路に障害が発生した際に予め定められた他の通信経路を新たな前記主信号通信経路または前記他の主信号通信経路として用いることを示す情報であることを特徴とする請求項１記載の情報送受信装置。
【請求項５】
前記障害情報は、ベルコア規定に従ったＡＰＳ制御による伝送路切り替え制御の情報および伝送路障害の情報であることを特徴とする請求項１記載の情報送受信装置。
【請求項６】
前記通信経路情報付加情報送信手段は、前記通信経路情報から送信先となる対向装置を取得する対向装置取得手段と、取得した対向装置に向けて通信経路情報付加情報通信経路を設定する通信経路設定手段と、この設定された通信経路情報付加情報通信経路を用いて通信経路情報付加情報を対向装置に送信する送信手段を備えることを特徴とする請求項１記載の情報送受信装置。
【発明の詳細な説明】
【０００１】
【発明の属する技術分野】
【０００２】
本発明は、運用伝送路と予備伝送路の伝送路状態を相互に通知し合う情報送受信装置に係わり、特にこれらの伝送路で障害が発生した際に装置間で伝送路障害の情報や伝送路の切り替えの情報等を相互に送信しあう情報送受信装置に関する。
【従来の技術】
近年、インターネットやその他の通信ネットワークが多数構築されている。このような通信ネットワークが放送や金融機関等の各種ビジネスの分野に利用されると共に、通信ネットワークの信頼性を確保する要請も高まっている。特に主要なトラフィックを賄うバックボーンとなるネットワークを管轄する通信事業者やオンライン接続サービス事業者の場合には、この要請が高い。そこで、これらの事業者向けに、運用伝送路と予備伝送路からなる冗長伝送路構成をベルコア（Bellcore）規定によるＡＰＳ（Automatic Protection Switching）制御で切り替える通信ネットワークシステムが採用されている。
【０００３】
ここでベルコア規定とは、運用伝送路と予備伝送路からなる冗長伝送路構成での伝送路の切り替えおよび伝送路の障害監視のシステム構成または制御の手法を規定したものである。ＡＰＳ制御は、伝送路の自動切り替えに関する制御であり、伝送路障害の情報に基づいて、装置間で信号を送信する伝送路を障害の発生していない伝送路へ自動的に切り替えるようになっている。また、ベルコア規定では、対向する装置間でのＡＰＳ制御に関する情報は、これらの装置間で切り替えの対象となる冗長伝送路の予備伝送路を用いて、対向する装置に送信するように定められている。これによって、伝送路の状態を認識し、ＡＰＳ制御による切り替えや伝送路障害への対応を行う。このようなベルコア規定のＡＰＳ制御を用いることで、信頼性の高い通信ネットワークシステムが構築されている。
【０００４】
ここでＡＰＳ制御に関する情報とは、ＡＰＳ制御による伝送路の切り替えおよび切り替えの対象となる伝送路障害の情報である。このようなＡＰＳ制御に関する情報の中で、伝送路の切り替えに関する情報としてのＡＰＳバイトについては、ＡＰＳ制御上の予備伝送路を用いて対向する装置に送信することが定められている。ＡＰＳ制御上の伝送路とは、ＡＰＳ制御によって切り替えの対象となる運用伝送路および予備伝送路を指している。また、ＡＰＳ制御上の運用伝送路では、ＡＰＳバイトの代わりにゼロパターンを対向する装置に送信することがベルコア規定により定められている。更に、各伝送路を用いて予め定められた伝送路障害の情報を送信することも定められている。このときＡＰＳ制御に関連する情報は、伝送路を伝送される信号に挿入されるセクションオーバヘッドの所定の領域であるＫ１バイトおよびＫ２バイトに組み込まれる。ＡＰＳバイトはセクションオーバヘッドのＫ１バイトとＫ２バイトの上位５ビットに、伝送路障害の情報はこのＫ２バイトの下位３ビットにそれぞれ組み込まれるようになっている。ここでセクションオーバヘッドは、ＳＯＮＥＴまたはＳＤＨ（Synchronous Optical Network/ Synchronous Digital Hierarchy：同期光ネットワークまたは同期ディジタルハイアラーキ）に対応したＳＤＨ信号のセクションオーバヘッドを指している。
【０００５】
図１６は従来のＡＰＳ制御を行う伝送装置を使用して情報を送受信する情報送受信装置を配置したシステムの概要を表わしたものである。このシステムは、ベルコア規定により伝送路を切り替えるＡＰＳ制御機能を有する第１の同期光ネットワークまたは同期ディジタルハイアラーキ伝送装置（以下、第１の装置と略称する。）２０１と、同じくＡＰＳ制御機能を有する第２の同期光ネットワークまたは同期ディジタルハイアラーキ伝送装置（以下、単に第２の装置と称する。）２０２をそれぞれ情報送受信装置として対向配置した構成となっている。
【０００６】
第１の装置２０１と第２の装置２０２の間には、双方向とも冗長伝送路構成の第１の回線４０１と第２の回線４０２が接続されている。これらの回線に存在する伝送路は、ネットワーク管理者によってＡＰＳ制御上の運用伝送路と予備伝送路が予め定められている。すなわち第１の装置２０１から第２の装置２０２方向には第１の回線４０１を使用した運用伝送路２０３と第２の回線４０２を使用した予備伝送路２０４が存在し、第２の装置２０２から第１の装置２０１方向には第１の回線４０１を使用した運用伝送路２０５と第２の回線４０２を使用した予備伝送路２０６が存在している。また、ＡＰＳ制御による伝送すべき主信号を選択的に受信する伝送路としてのワーキングチャネル（Working Channel）は、第１の装置２０１から第２の装置２０２方向については運用伝送路２０３を、また第２の装置２０２から第１の装置２０１方向については予備伝送路２０６をそれぞれ選択しており、これらの装置２０１、２０２間で主信号の送受信が行われている。
【０００７】
ワーキングチャネルの切り替えは、単方向切替（unidirectional）となっている。単方向切替とは、障害が発生したワーキングチャネルとして指定された伝送路だけを切り替えることを指している。したがって、信号の送受信を行っている装置間で、仮に一方向を送信側とした場合に、送信側のワーキングチャネルで切り替えが行われても受信側のワーキングチャネルは、これに障害が発生しない限り切り替えられることはない。
【０００８】
第１の装置２０１内には第２の装置２０２へ送信する信号をコピーするブリッジ部２０７と、ブリッジ部２０７から出力される信号をそれぞれ入力してＫ１バイトおよびＫ２バイトを挿入する第１および第２のＫ１バイトおよびＫ２バイト挿入部（挿入部）２０８、２０９と、第２の装置２０２からＫ１バイトおよびＫ２バイトを受信する第１および第２のＫ１バイトおよびＫ２バイト受信部（受信部）２１７、２１８と、伝送路障害を監視する伝送路障害監視部２２７と、Ｋ１バイトおよびＫ２バイトの送信制御を行うＫ１バイトおよびＫ２バイト送信部（送信部）２３０と、受信した信号を選択して出力させるためのセレクタ部２１９と、全体的な制御を行う制御部２２０が設けられている。制御部２２０は第１および第２のＫ１バイトおよびＫ２バイト受信部２１７、２１８から対向装置の伝送路を切り替えるための対向装置伝送路切替制御情報４１１、２２６を受信するようになっている。また、伝送路障害監視部２２７との間で伝送路障害情報の送受信を行うようになっている。更に、Ｋ１バイトおよびＫ２バイト送信部２３０に対しては自装置伝送路切替制御情報２２９を、セレクタ部２１９に対してはセレクタ部制御情報をそれぞれ送信してこれらの切替制御を行わせるようになっている。
【０００９】
第２の装置２０２内には第１の装置２０１へ送信する信号をコピーするブリッジ部２１４と、ブリッジ部２１４から出力される信号をそれぞれ入力してＫ１バイトおよびＫ２バイトを挿入する第１および第２のＫ１バイトおよびＫ２バイト挿入部（挿入部）２１５、２１６と、第２の装置２０１からＫ１バイトおよびＫ２バイトを受信する第１および第２のＫ１バイトおよびＫ２バイト受信部（受信部）２１０、２１１と、伝送路障害を監視する伝送路障害監視部２２２と、Ｋ１バイトおよびＫ２バイトの送信制御を行うＫ１バイトおよびＫ２バイト送信部（送信部）２２４と、受信した信号を選択して出力させるためのセレクタ部２１２と、全体的な制御を行う制御部２１３が設けられている。制御部２１３は第１および第２のＫ１バイトおよびＫ２バイト受信部２１０、２１１から対向装置の伝送路を切り替えるための対向装置伝送路切替制御情報４２１、２３２を受信するようになっている。また、伝送路障害監視部２２２との間で伝送路障害情報の送受信を行うようになっている。更に、Ｋ１バイトおよびＫ２バイト送信部２２４に対しては自装置伝送路切替制御情報２２３を、セレクタ部２１２に対してはセレクタ部制御情報をそれぞれ送信してこれらの切替制御を行わせるようになっている。このように、第２の装置２０２も第１の装置２０１と構成は同一である。
【００１０】
次に第１の装置２０１から第２の装置２０２へ信号を伝送する動作について説明する。まず第１の装置２０１から第２の装置２０２へ送信する信号は、第１の装置２０１のブリッジ部２０７でコピーされ、運用伝送路２０３とつながる第１のＫ１バイトおよびＫ２バイト挿入部２０８および予備伝送路２０４とつながる第２のＫ１バイトおよびＫ２バイト挿入部２０９にそれぞれ入力される。制御部２２０は、伝送路障害監視部２２７から受け取った伝送路障害情報に基づいた自装置伝送路切替制御情報２２９をＫ１バイトおよびＫ２バイト送信部２３０へ入力する。Ｋ１バイトおよびＫ２バイト送信部２３０は、これを第１および第２のＫ１バイトおよびＫ２バイト挿入部２０８、２０９それぞれに応じたＫ１バイトおよびＫ２バイトに変換し、それぞれに対して送信する。第１および第２のＫ１バイトおよびＫ２バイト挿入部２０８、２０９では、入力されたＫ１バイトおよびＫ２バイトを入力された信号へ多重挿入し、両方の通信経路からそれぞれの信号が第２の装置２０２へ伝送される。このとき、第１のＫ１バイトおよびＫ２バイト挿入部２０８では、信号に挿入されるセクションオーバヘッド内のＫ１およびＫ２バイトに、ＡＰＳバイトとしてゼロパターンが組み込まれるようになっている。また、第２のＫ１バイトおよびＫ２バイト挿入部２０９では、信号に挿入されるセクションオーバヘッド内のＫ１およびＫ２バイトにＡＰＳバイトとしてＡＰＳ制御に関する情報が組み込まれるようになっている。
【００１１】
第２の装置２０２へ送られてきた信号は、運用伝送路２０３とつながる第１のＫ１バイトおよびＫ２バイト受信部２１０、予備伝送路２０４とつながる第２のＫ１バイトおよびＫ２バイト受信部２１１でそれぞれ受信される。それぞれの受信部では、受信された信号にＫ１およびＫ２バイトが多重挿入されているか否かを判別した後、セレクタ部２１２へ送る。このとき、それぞれの受信部は、判別の結果に関わりなく信号をセレクタ部２１２へ送るようになっている。セレクタ部２１２では、制御部２１３から受け取ったセレクタ部制御情報に従って伝送路をセレクトし、信号を受信するようになっている。図１６の場合、運用伝送路２０３をセレクトし、運用伝送路２０３を介して送られてきた信号だけを主信号として選択的に受信する。また、セレクトされていない伝送路（ここでは予備伝送路２０４）を介して送られてきた信号は、輻輳を避けるため廃棄されるようになっている。また、第１および第２のＫ１バイトおよびＫ２バイト受信部２１０、２１１は多重挿入されているＫ１バイトおよびＫ２バイトを対向装置伝送路切替制御情報４２１、２３２に変換してから、それぞれ制御部２１３へ入力する。制御部２１３は、これらの情報に基づいたセレクタ部制御情報をセレクタ部２１２へ送信し、また伝送路障害情報を伝送路障害監視部２２２へ送信する。セレクタ部２１２および伝送路障害監視部２２２は、それぞれ送信された情報に基づいて伝送路切り替えおよび伝送路障害への対応処理を行う。
【００１２】
次に、第２の装置２０２から第１の装置２０１へ信号を伝送する場合の動作について説明を行うが、以上説明した第１の装置２０１から第２の装置２０２へ信号を伝送する場合の説明と同様の部分は、適宜説明を省略する。第２の装置２０２から第１の装置２０１へ送信する信号は、ブリッジ部２１４でコピーされ、運用伝送路２０５とつながる第１のＫ１バイトおよびＫ２バイト挿入部２１５および予備伝送路２０６とつながる第２のＫ１バイトおよびＫ２バイト挿入部２１６に入力される。制御部２１３は、伝送路障害監視部２２２から受け取った伝送路障害情報に基づいた自装置伝送路切替制御情報２２３をＫ１バイトおよびＫ２バイト送信部２２４へ入力する。Ｋ１バイトおよびＫ２バイト送信部２２４は、これを第１および第２のＫ１バイトおよびＫ２バイト挿入部２１５、２１６それぞれに応じたＫ１バイトおよびＫ２バイトに変換し、それぞれに対して送信する。第１および第２のＫ１バイトおよびＫ２バイト挿入部２１５、２１６では入力された信号にＫ１バイトおよびＫ２バイトをそれぞれ多重挿入し、両方の通信経路からそれぞれの信号が第１の装置２０１へ伝送される。
【００１３】
第１の装置２０１へ送られてきた信号は、それぞれ第１の装置２０１の運用伝送路２０５とつながる第１のＫ１バイトおよびＫ２バイト受信部２１７および予備伝送路２０６とつながる第２のＫ１バイトおよびＫ２バイト受信部２１８で受信される。この後、受信された信号は第１の装置２０１のセレクタ部２１９に送られる。セレクタ部２１９は、制御部２２０から受け取ったセレクタ部制御情報に従って、予備伝送路２０６を介して送られてきた信号だけを主信号として選択的に受信し、セレクトされていない伝送路（ここでは運用伝送路２０５）を介して送られてきた信号は廃棄する。また、第１および第２のＫ１バイトおよびＫ２バイト受信部２１７、２１８は多重挿入されているＫ１バイトおよびＫ２バイトを対向装置伝送路切替制御情報４１１、２２６に変換してから、それぞれ制御部２２０へ入力する。制御部２２０は、これらの情報に基づいたセレクタ部制御情報をセレクタ部２１９へ送信し、また伝送路障害情報を伝送路障害監視部２２７へ送信する。セレクタ部２１９および伝送路障害監視部２２７は、それぞれ送信された情報に基づいて伝送路切り替えおよび伝送路障害への対応処理を行う。
【００１４】
図１７は、図１６に示したＡＰＳ制御を持つ装置の基本的な構成における伝送路での従来の一次障害発生時の処理の一例として、第１の装置から第２の装置方向への予備伝送路において伝送路障害が発生した場合について表わしたものである。図１７で図１６と同一の部分には同一の符号を付しており、これらの説明を適宜省略する。また、ＡＰＳ制御による伝送すべき主信号を選択的に受信される伝送路であるワーキングチャネルには、図１６で説明したと同様の伝送路がそれぞれセレクトされているものとする。
【００１５】
次に、予備伝送路２０４に障害２２１が発生した際に、第２の装置２０２においてＡＰＳ制御により行われた伝送路の切り替えに関する情報と伝送路障害の情報を第２の装置２０２から第１の装置２０１へ伝送する処理の流れについて説明する。図１７では障害２２１が予備伝送路２０４に発生しており、この伝送路障害を第１の装置２０１へ送信する伝送路は予備伝送路２０６である。更に、ＡＰＳ制御による伝送路の切り替えに関する情報はＡＰＳ制御上の予備伝送路２０６で第１の装置２０１へ送信するようになっている。したがって、ここでは予備伝送路２０６を介して送信されるＡＰＳ制御により行われた伝送路の切り替えに関する情報と伝送路障害の情報について説明を行う。まず、運用伝送路２０３および予備伝送路２０４を介してそれぞれ第１の装置２０１から第２の装置２０２に向けて伝送されるべき信号のうち予備伝送路２０４による伝達は、伝送路障害２２１が発生しているため、行われない状態にある。これに対して、第２の装置２０２では、予備伝送路２０４において第１の装置２０１からの信号が受信できないこと等により、この伝送路に障害が発生したことを伝送路障害監視部２２２で認識するようになっている。そして、認識した第１の装置２０１から第２の装置２０２への予備伝送路２０４での障害情報を制御部２１３に送信する。制御部２１３は、この受け取った伝送路障害情報に基づいて、ワーキングチャネルを切り替えるＡＰＳ伝送路切り替えの処理の必要があるか否かを判別するようになっている。ワーキングチャネルを切り替える必要がある場合には、セレクタ部２１２にＡＰＳ制御の伝送路切り替えの処理を指示し、セレクタ部２１２はこの指示に従いＡＰＳ制御の伝送路の切り替えを実施するようになっている。しかし、図１７のセレクタ部２１２では、ワーキングチャネルとして運用伝送路２０３がセレクトされており、ワーキングチャネルを切り替える必要がないことになる。
【００１６】
一方、制御部２１３は、この第２の装置２０２におけるＡＰＳ制御の伝送路の切り替えに関する情報と伝送路障害の情報の自装置伝送路切替制御情報２２３をＫ１バイトおよびＫ２バイト送信部２２４に送信するようになっている。Ｋ１バイトおよびＫ２バイト送信部２２４は、受け取った自装置伝送路切替制御情報２２３をベルコア規定のＫ１バイトおよびＫ２バイト２２５に変換する。これを予備伝送路２０６につながる第２のＫ１バイトおよびＫ２バイト挿入部２１６へ送る。第２のＫ１バイトおよびＫ２バイト挿入部２１６は、受け取ったこれを伝送される信号に組み込んでＡＰＳ制御上の予備伝送路２０６を介して第１の装置２０１へ送ることになる。
【００１７】
第１の装置２０１の第２のＫ１バイトおよびＫ２バイト受信部２１８は、第２の装置２０２とのＡＰＳ制御上の予備伝送路２０６を介して伝送された信号に挿入されているセクションオーバヘッドの中にＫ１バイトおよびＫ２バイト２２５が存在するか否かの確認を行う。ここで、Ｋ１バイトおよびＫ２バイト２２５が存在する、すなわちＫ１バイトおよびＫ２バイト２２５を第２の装置２０２から受け取った場合には、このＫ１バイトおよびＫ２バイト２２５の変換を行うようになっている。Ｋ１バイトおよびＫ２バイト２２５は、第２の装置２０２においての伝送路切替制御情報である対向装置伝送路切替制御情報２２６に変換されて制御部２２０へ伝えられるようになっている。第２のＫ１バイトおよびＫ２バイト受信部２１８から対向装置伝送路切替制御情報２２６を受け取った第１の装置２０１の制御部２２０は、第２の装置２０２においてＡＰＳ制御により行われた伝送路の切り替えに関する情報と伝送路障害の情報を抽出する。そして、セレクタ部２１９に受け取った伝送路切り替えに関する情報に従ったセレクタ部制御情報を送信し、また伝送路障害監視部２２７に対し伝送路障害情報を送信するようになっている。セレクタ部２１９は、制御部２２０から受け取ったセレクタ部制御情報に従い、ＡＰＳ制御を実施する。また、伝送路障害監視部２２７は、制御部２２０より受け取った伝送路障害情報に基づいて、第１の装置２０１から第２の装置２０２方向の伝送路障害への対応処理を実施する。
【００１８】
以上説明したように、第１の装置２０１では、第２の装置２０２に信号を送信する予備伝送路２０４に発生した伝送路障害２２１と、これに関連した伝送路切り替えの情報が予備伝送路２０６を用いて送信されるようになっている。したがって、第１の装置２０１は送信された情報を基にして、ＡＰＳ切り替え制御や伝送路障害への対応を正常に行うことができる。
【００１９】
図１８は、図１６に示したＡＰＳ制御を持つ装置の基本的な構成における従来の伝送路での二次障害発生時、すなわち図１７に示した伝送路での障害（一次障害）発生後、障害復旧がなされる前に異なる伝送路に障害が発生した時の処理の一例を表わしている。ＡＰＳ制御による伝送すべき信号を選択的に受信される伝送路であるワーキングチャネルは二次障害が発生するまで、第１の装置２０１から第２の装置２０２の方向では運用伝送路２０３がセレクトされており、第２の装置２０２から第１の装置２０１の方向では予備伝送路２０６がそれぞれセレクトされているものとする。このような状態で、第１の装置２０１から第２の装置２０２方向の予備伝送路２０４に伝送路障害２２１（一次障害）が発生し、この障害復旧がなされる前に第２の装置２０２から第１の装置２０１方向の予備伝送路２０６に伝送路障害２２８（二次障害）が発生したものとし、このような場合の動作について詳細に説明する。図１８で図１７と同一の部分には同一の符号を付しており、これらの説明を適宜省略する。また、第２の装置２０２から第１の装置２０１へ信号を伝送する場合の動作については、図１６で説明したと同様であるので、説明を省略する。
【００２０】
図１８に示したＡＰＳ制御を持つ装置の基本的な構成における従来の伝送路での二次障害発生時に、第１の装置２０１から第２の装置２０２へ第１の装置２０１の自装置伝送路切替制御情報２２９を送信する動作について説明する。図１８では障害２２８が予備伝送路２０６に発生しており、この伝送路障害を第１の装置２０１から第２の装置２０２へ送信する伝送路は予備伝送路２０４である。更に、ＡＰＳ制御による伝送路の切り替えに関する情報はＡＰＳ制御上の予備伝送路２０４で第１の装置２０１から第２の装置２０２へ送信するようになっている。したがって、ここでは予備伝送路２０４を介して送信されるＡＰＳ制御により行われた伝送路の切り替えに関する情報と伝送路障害の情報について説明を行う。まず、予備伝送路２０６に対して伝送路障害２２８が発生しているため、予備伝送路２０６を介して伝送されるべき信号の伝達は行われない状態にある。これに対して、第１の装置２０１の伝送路障害監視部２２７では、この伝送路障害２２８が発生したことを認識し、第２の装置２０２から第１の装置２０１への伝送路での障害情報を制御部２２０に送信する。制御部２２０は、ワーキングチャネルである予備伝送路２０６で伝送路障害２２８が発生しているため、セレクタ部２１９に対して、ワーキングチャネルを予備伝送路２０６から運用伝送路２０５に切り替えるセレクタ部制御情報を送信する。セレクタ部２１９はこれに従ったＡＰＳ制御の伝送路切り替えを実施する。
【００２１】
一方、この第１の装置２０１における伝送路切替制御情報である自装置伝送路切替制御情報２２９をＫ１バイトおよびＫ２バイト送信部２３０に送信する。Ｋ１バイトおよびＫ２バイト送信部２３０は、受け取った自装置伝送路切替制御情報２２９をベルコア規定のＫ１バイトおよびＫ２バイト２３１に変換する。この後、ネットワーク管理者の設定により定められたＡＰＳ制御上の予備伝送路２０４にある第２のＫ１バイトおよびＫ２バイト挿入部２０９へＫ１バイトおよびＫ２バイト２３１が送信される。Ｋ１バイトおよびＫ２バイト送信部２３０よりＫ１バイトおよびＫ２バイト２３１を受け取った第２のＫ１バイトおよびＫ２バイト挿入部２０９は、第２の装置２０２へこのＡＰＳ制御上の予備伝送路２０４を介して、Ｋ１バイトおよびＫ２バイト２３１の送信を実行しようとする。
【００２２】
しかし、すでに予備伝送路２０４には、伝送路障害２２１が発生しており、継続し復旧していないため、予備伝送路２０４による第２の装置２０２への伝送すべき信号の伝達は行われない状態にあるので、Ｋ１バイトおよびＫ２バイト２３１の伝達を行うことはできない。このため第２の装置２０２では第２のＫ１バイトおよびＫ２バイト受信部２１１はＫ１バイトおよびＫ２バイト２３１を取得することができず、第１の装置２０１における伝送路切替制御情報である対向装置伝送路切替制御情報２３２は制御部２１３に送信されないままとなる。
【００２３】
以上説明したように、第２の装置２０２の制御部２１３は対向装置伝送路切替制御情報２３２を取得できない。すなわち第２の装置２０２では、予備伝送路２０６に発生した伝送路障害２２８を認識することができず、これに伴い第１の装置２０１で行われたＡＰＳ制御による伝送路の切り替えについても認識できない。これによって、第２の装置２０２の認識では、予備伝送路２０６に障害は発生しておらず、ワーキングチャネルとして使用されていることになる。したがって、第２の装置２０２は伝送路障害２２８に対応した伝送路切り替えに関するＡＰＳ制御や伝送路の障害対応は行なわれない。
【００２４】
このような従来の通信ネットワークシステムでは、ＡＰＳ制御上の伝送路に障害が発生すると、ＡＰＳ制御に関する情報が、送信側の装置から対向する装置に送信されない。このＡＰＳ制御に関する情報とは、送信側の装置でＡＰＳ制御により行われた伝送路の切り替えに関する情報や、直接認識できない伝送路障害の情報を示している。したがって、対向する装置側では伝送路の状態認識を正常に行うことができず、しかもこれらの情報を送信する伝送路が障害から復旧するまでは、この異常な状態が継続してしまう。これによって、ＡＰＳ制御による切り替えや伝送路障害への対応を正常に行うことができない場合が発生し、通信ネットワークの信頼性が低下するという問題があった。そこで、このような問題を解決する情報送受信装置を配置したシステムが提案されている。
【００２５】
図１９は、ＡＰＳ制御に関する情報を送信する伝送路に障害が発生した場合に対応する、情報送受信装置を配置したシステムを示したものである。特開平７−２２６７２９号公報に開示されたこのシステムは、ともに情報送受信装置である送信側装置５１１と受信側装置５１２で構成されている。送信側装置５１１と受信側装置５１２の間には運用伝送路５１３および予備伝送路５１４が接続されている。
【００２６】
送信側装置５１１は信号５１５を入力する分岐部５１６と、この分岐部５１６によって分岐された信号を入力して送信する運用系送信部５１７および予備系送信部５１８の２つの送信部と、これら運用系送信部５１７および予備系送信部５１８に同じＡＰＳ制御に関する情報を供給する切替制御部５１９によって構成されている。ここで、ＡＰＳ制御に関する情報とは、受信側装置５１２から送信側装置５１１方向に信号を伝送する図示しない伝送路に行ったＡＰＳ制御による切り替えを示すＡＰＳバイトと、この切り替え対象となる両系の伝送路の障害を示す障害情報を指している。信号５１５は送信側装置５１１から受信側装置５１２へ送信される信号である。運用系送信部５１７は、信号に挿入されるセクションオーバヘッドに障害情報を組み込む障害情報送信部５２０と、同じくＡＰＳバイトを組みこむＡＰＳバイト送信部５２１を備えている。ここで、ＡＰＳバイトはセクションオーバヘッドのＫ１バイトとＫ２バイトの上位５ビットに、伝送路に関する障害情報は、Ｋ２バイトの下位３ビットに組み込まれるようになっている。同様に予備系送信部５１８も、障害情報送信部５２２とＡＰＳバイト送信部５２３を備えている。
【００２７】
一方、受信側装置５１２は、各伝送路から伝送される信号をそれぞれ受信する運用系受信部５２４および予備系受信部５２５の２つの受信部と、運用系受信部５２４および予備系受信部５２５から取得したＡＰＳ制御に関する情報に対応する処理を行う切替制御部５２６と、入力された信号を選択して出力するセレクタ部５３１によって構成されている。運用系受信部５２４は、受信した信号に挿入されているセクションオーバヘッドからＡＰＳバイトを取得するＡＰＳバイト受信部５２７と、同じく障害情報を取得する障害情報受信部５２８を備えている。同様に予備系受信部５２５もＡＰＳバイト受信部５２９と障害情報受信部５３０を備えている。ＡＰＳバイト受信部５２７、５２９で取得されたＡＰＳバイトは、それぞれ切替制御部５２６に送信されるようになっている。また、障害情報受信部５２８、５３０でそれぞれ取得された障害情報は、それぞれ切替制御部５２６に供給されるようになっている。運用系受信部５２４および予備系受信部５２５で受信された信号はセレクタ部５３１に入力される。セレクタ部５３１は、切替制御部５２６に従っていずれかから入力された信号を選択し、これを出力するようになっている。
【００２８】
このような構成の従来の情報送受信装置を配置したシステムで、分岐部５１６に入力された信号５１５は２つに分岐されて、運用系送信部５１７と予備系送信部５１８にそれぞれ入力される。また、切替制御部５１９から同じＡＰＳバイトおよび障害情報が、それぞれ運用系送信部５１７と予備系送信部５１８に入力される。運用系送信部５１７では、ＡＰＳバイト送信部５２１および障害情報送信部５２０が、入力された信号のセクションオーバヘッドにＡＰＳバイトおよび障害情報をそれぞれ組み込む。予備系送信部５１８でも同様にして、ＡＰＳバイト送信部５２３および障害情報送信部５２２が、入力された信号のセクションオーバヘッドにＡＰＳバイトおよび障害情報をそれぞれ組み込む。このようにして、ＡＰＳバイトおよび障害情報が組み込まれた信号は、運用伝送路５１３あるいは予備伝送路５１４のうちの対応するものを介して、受信側装置５１２に伝送される。
【００２９】
運用伝送路５１３を介して受信側装置５１２に伝送された信号は、運用系受信部５２４で受信される。ＡＰＳバイト受信部５２７および障害情報受信部５２８は、この受信した信号からＡＰＳバイトあるいは障害情報を取得する。取得されたＡＰＳバイトおよび障害情報は、切替制御部５２６に供給される。また予備伝送路５１４によって受信側装置５１２に伝送された信号は、予備系受信部５２５で受信される。ＡＰＳバイト受信部５２９と障害情報受信部５３０は、この受信した信号からＡＰＳバイトあるいは障害情報を取得して、これらを切替制御部５２６に供給する。切替制御部５２６はこれらのＡＰＳバイトおよび障害情報に対応した、セレクタ部５３１への伝送路切替制御の指示および伝送路障害対応を行う。
【００３０】
以上説明したようにこの提案の情報送受信装置を配置したシステムでは、予備伝送路が故障等の障害によって通信できない場合、すなわち予備伝送路を用いてＫ１バイトおよびＫ２バイトを対向装置側で受信することができない場合には、運用伝送路にゼロパターン以外の信号を挿入してこれを対向する装置に送信している。このゼロパターン以外の信号とは、Ｋ１バイトとＫ２バイトの上位５ビットにＡＰＳバイトを、Ｋ２バイトの下位３ビットに各系の故障情報を挿入したものである。このようなゼロパターン以外の信号を対向する装置に送信することで、これを受信した対向装置は運用伝送路上にあるＡＰＳバイトを受信して、ＡＰＳ制御による伝送路の切り替えを行っている。
【００３１】
【発明が解決しようとする課題】
【００３２】
しかしながら、この従来提案された技術では幾つかの問題があった。まず第１の問題は、ベルコア規定によれば、Ｋ１バイトおよびＫ２バイトに含まれるＡＰＳバイトを多重挿入することによる対向装置間での送受信は予備伝送路のみで行うということである。また、ベルコア規定では、予備伝送路と冗長構成をとる運用伝送路では、ＡＰＳバイトを多重挿入するセクションオーバヘッドのビットの箇所に、すべてゼロパターンを送るべきことが規定されている。ところが従来提案された技術では、この運用伝送路における、予備伝送路ではＡＰＳバイトを多重挿入するセクションオーバヘッドのビットの箇所には、ゼロパターン以外のパターンを挿入することになっており、ベルコア規定と異なっている。
【００３３】
このため、ＡＰＳ制御をサポートする対向装置間でＡＰＳ機能を動作させるとき、ベルコア規定のＡＰＳ制御を使用した装置と提案された技術を使用した装置とが接続された場合に、互いに異なる信号形式の信号が送受信されるために、ＡＰＳ制御による伝送路の切り替えそのものが動作しない可能性があった。また、この公報で開示された技術を採用していない装置側が運用伝送路を用いてゼロパターン以外のＡＰＳバイトを受信した場合には、本システムの利用者あるいは管理者が意図するものと異なる処理、いわゆる誤作動を装置が起こす可能性があった。これは、送信すべき信号は運用伝送路で正常であるにも係わらず伝送装置間での伝送が行われない可能性があるからである。
【００３４】
第２の問題は、運用伝送路や予備伝送路のＫ１バイトおよびＫ２バイトを用いずに送信側装置でＡＰＳ伝送路の切り替えを行ったり、送信伝送路の故障認識の判断を行う手段がないことである。対向する伝送装置間を結ぶ通信経路を用いて、ＡＰＳ制御により行われた伝送路の切り替えに関する情報や送信側装置が認識できない送信伝送路の故障認識等の伝送路切替制御情報を伝達し、送信側装置でのＡＰＳ伝送路切替制御を行ったり、送信伝送路の故障認識の判断を行うことは不可能とされた。
【００３５】
そこで本発明の目的は、冗長伝送路構成によって接続された対向装置間で、この冗長伝送路構成に含まれる伝送路を用いて送信するＡＰＳ制御に関する情報を、これら伝送路の障害の有無に関わらず対向する装置間で相互に送受信する情報送受信装置を提供することにある。
【００３６】
本発明の他の目的は、ＡＰＳ制御上の運用伝送路および予備伝送路を用いて対向する装置に送信されるＫ１バイトおよびＫ２バイトのＡＰＳ制御に関する情報をベルコア規定に準拠したままで、これら伝送路の障害の有無に関わらず対向する装置間でＫ１バイトおよびＫ２バイトとは異なるがこれと同様のＡＰＳ制御に関する情報を相互に送受信する情報送受信装置を提供することにある。
【００３７】
【課題を解決するための手段】
請求項１記載の発明では、（イ）自装置と対向配置され自装置と同一構成の対向装置との間に予め設定された主信号通信経路を介して、この対向装置側に送信すべき主信号を送信する主信号送信手段と、（ロ）対向装置との間に予め設定された他の主信号通信経路を介してこの対向装置から自装置側に送信すべき他の主信号を受信する主信号受信手段と、（ハ）この主信号受信手段が主信号を受信するまでに障害が発生したときこれを表わした障害情報を作成する障害情報作成手段と、（ニ）この障害情報作成手段によって作成された障害情報中に予め定めた障害情報が存在したときこれらの障害情報を対向装置との間に予め設定された障害情報通信経路を用いてこれらの障害情報ごとにそれぞれ送信する１または複数の障害情報送信手段と、（ホ）これらの障害情報送信手段で送信される障害情報にこの障害情報が送信される障害情報通信経路を示す通信経路情報を付加した通信経路情報付加情報を対向装置へ送信する通信経路情報付加情報送信手段と、（ヘ）自装置から主信号送信手段によって対向装置に信号が送信されるまでに障害が発生したときこれを表わした障害情報の中で予め定められた障害情報を対向装置との間に予め設定された他の障害情報通信経路を用いて受信する１または複数の障害情報受信手段と、（ト）これらの障害情報受信手段によって障害情報が受信されなかったとき受信されなかった障害情報に対応して予め定められた他の障害情報通信経路を示す通信経路情報を取得する未受信通信経路情報取得手段と、（チ）障害情報受信手段が受信する障害情報に障害情報を受信する他の障害情報通信経路を示す通信経路情報が付加された通信経路情報付加情報を対向装置から受信する通信経路情報付加情報受信手段と、（リ）この通信経路情報付加情報受信手段が受信した通信経路情報付加情報の通信経路情報と同一の他の障害情報通信経路を示す通信経路情報が未受信通信経路情報取得手段に取得されていたときに通信経路情報付加情報受信手段で受信した障害情報を他の障害情報通信経路から障害情報受信手段によって受信された障害情報として扱う未受信情報補完手段とを情報送受信装置に具備することを特徴としている。
【００４０】
すなわち請求項１記載の発明では、主信号送信手段は、自装置と対向する装置である対向装置との間に予め設定されている主信号通信経路を介して、対向装置へ主信号を送信する。また主信号受信手段は、主信号送信手段が用いる主信号通信経路とは異なる他の主信号通信経路を介して、対向装置から自装置側に送信すべき主信号を受信するようになっている。このように、自装置と対向装置の間では主信号の送受信が行われている。この主信号は送信と受信で同一であっても異なるものであってもよい。障害情報作成手段は、この主信号受信手段が信号を受信するまでに障害が発生したとき、これを表わした障害情報を作成する。障害情報送信手段は、この作成された障害情報の中に予め定めた障害情報が存在したときに、これらの障害情報を対向装置との間に予め設定された障害情報通信経路を用いて対向装置に送信する。ここで予め定めた障害情報としては、例えば対向装置が直接認識できない障害情報等がある。障害情報送信手段は送信する障害情報通信経路に応じて１つまたは複数存在し、それぞれが対向装置に障害情報を送信するようになっている。また通信経路情報付加情報送信手段は、これらの障害情報送信手段によって送信される障害情報にこの障害情報を対向装置に送信するのに用いる障害情報通信経路を示す通信経路情報を付加して対向装置に送信する。したがって、障害情報送信手段および通信経路情報付加情報送信手段を用いて、同様の障害情報が対向装置に送信される。自装置と対向装置は同一構成であり、対向装置に備えられた障害情報送信手段および通信経路情報付加情報送信手段からの障害情報および通信経路情報付加情報を受信する手段が自装置に備えられている。障害情報受信手段は、自装置の主信号送信手段が送信する主信号が対向装置で受信されるまでの間に発生した障害を示す障害情報の中の予め定められた障害情報を受信する。このとき、対向装置との間に予め設定された障害情報送信手段が用いるものとは異なる他の障害情報通信経路を用いて受信する。障害情報受信手段は、障害情報を受信する障害情報通信経路に応じて１つまたは複数存在し、それぞれが対向装置から障害情報を受信する。未受信通信経路情報取得手段は、これらの障害情報受信手段によって障害情報が受信されなかったときにこの受信されなかった障害情報が受信される際に用いられる予め定められた他の障害情報通信経路を示す通信経路情報を取得する。また、通信経路情報付加情報受信手段は、障害情報受信手段が受信する障害情報にこの情報を受信する際に用いられる障害情報通信経路を示す通信経路情報が付加されている通信経路情報付加情報を受信する。ここで、主信号送信手段、主信号受信手段、障害情報送信手段、障害情報受信手段は対向装置との間のそれぞれ異なる通信経路を用いて主信号または障害情報の送信または受信を行っているが、例えば、これらの通信経路のいくつかを同じ通信回線内に配置してもよい。未受信情報補完手段は、通信経路情報付加情報受信手段によって受信された通信経路情報付加情報に付加されている通信経路情報と同一の他の障害情報通信経路を示す通信経路情報が未受信通信経路情報取得手段に取得されていたときに、この通信経路情報付加情報の障害情報をこの他の障害情報通信経路から障害情報受信手段によって受信された障害情報として扱うようになっている。このように、主信号を送受信する自装置と対向装置間で、送信側となる装置から送信される主信号が受信側となる装置に受信されるまでの間に発生した障害に対して受信側の装置が作成したこれを表わす障害情報を送信側の装置へ冗長度を持った障害情報として送ることができる。障害情報受信手段によって障害情報を受信できない場合でも、通信経路情報付加情報受信手段によって障害情報が受信されていれば、未受信情報補完手段によって、この情報を障害情報受信手段で受信した障害情報として扱うことができる。このように、扱われる障害情報は常に障害情報受信手段で受信されたものとして扱われるので、受信された障害情報を扱う側では、特に意識せずに信頼性の高い障害情報を受信する装置として使用することができる。
【００４１】
請求項２記載の発明では、請求項１記載の情報送受信装置で、主信号送信手段が送信する主信号に少なくとも１つの障害情報送信手段が送信する障害情報を組み込むことを特徴としている。
【００４２】
すなわち請求項２記載の発明では、請求項１記載の情報送受信装置で、主信号送信手段が対向装置との間に設定された主信号通信経路を用いて対向する装置に送信する主信号に、障害情報送信手段が送信する障害情報が組み込まれるようになっている。組み込む障害情報は１つ以上でもよい。これによって、主信号通信経路が既に設定されていれば、これを利用して障害情報を送信することができるので、障害情報通信経路を設定しなくても障害情報を対向装置へ送信することができる。また、このような手法で障害情報を送信している既存の装置であっても請求項１記載の発明を適用することができる。
【００４３】
請求項３記載の発明では、請求項１記載の情報送受信装置で、主信号受信手段が受信する他の主信号に少なくとも１つの障害情報受信手段が受信する障害情報が組み込まれていて、この障害情報受信手段は主信号受信手段が受信した他の主信号に組み込まれている障害情報を取得することを特徴としている。
【００４４】
すなわち請求項３記載の発明では、請求項１記載の情報送受信装置で、主信号受信手段が受信する主信号に障害情報受信手段が受信する障害情報が組み込まれている。この情報を受信する障害情報受信手段は、主信号受信手段が受信した他の主信号から障害情報を取り出して受信する。主信号に組み込まれる障害情報は複数であってもよく、これに応じて障害情報受信手段の数も複数となってもよい。これによって受信する他の主信号を障害情報を受信するために使用できるので、すでに他の主信号を受信する主信号通信経路が設定されていれば、特に設定を行わずに障害情報を受信することができる。また、このような手法で障害情報を受信している既存の装置であっても請求項１記載の発明を適用することができる。
【００４５】
請求項４記載の発明では、請求項１記載の情報送受信装置で、障害情報は、主信号通信経路または他の主信号通信経路に障害が発生した際に予め定められた他の通信経路を新たな主信号通信経路または他の主信号通信経路として用いることを示す情報であることを特徴としている。
【００４６】
すなわち請求項４記載の発明では、請求項１記載の情報送受信装置で、障害情報は主信号通信経路に障害が発生したときに、予め定められた他の通信経路を新たな主信号通信経路として用いることを示す通信経路の切り替え情報であってもよいことを示している。また、通信経路の切り替え情報に限らず、例えば通信経路の障害復旧のために用いられる情報が送信されてもよい。
【００４７】
請求項５記載の発明では、請求項１記載の情報送受信装置で、障害情報は、ベルコア規定に従ったＡＰＳ制御による伝送路切り替え制御の情報および伝送路障害であることを特徴としている。
【００４８】
すなわち請求項５記載の発明では、請求項１記載の情報送受信装置で、障害情報は、ベルコア規定に従ったＡＰＳ制御による伝送路の切り替え制御の情報や、伝送路の障害を示す情報であってもよいことを示している。ベルコア規定では、主信号通信経路を伝送路として、障害情報送信手段は主信号に障害情報を組み込んで送信し、障害情報受信手段は受信した主信号から障害情報を取得するように定められているが、更に通信経路情報付加情報送信手段と通信経路情報付加情報受信手段で同様の障害情報を含む通信経路情報付加情報を装置間で相互に送信し合うことで、ベルコア規定に沿った主信号に組み込む以外の手法を用いて障害情報を相互に送信し合うことができる。したがって、既存の障害情報の送受信方法を変えずに、主信号を送受信する通信経路に障害が発生した場合でも障害情報を送受信することができる。
【００４９】
請求項６記載の発明では、請求項１記載の情報送受信装置で、通信経路情報付加情報送信手段は、通信経路情報から送信先となる対向装置を取得する対向装置取得手段と、取得した対向装置に向けて通信経路情報付加情報通信経路を設定する通信経路設定手段と、この設定された通信経路情報付加情報通信経路を用いて通信経路情報付加情報を対向装置に送信する送信手段を備えることを特徴としている。
【００５０】
すなわち請求項６記載の発明では、請求項１記載の情報送受信装置で、通信経路情報付加情報送信手段は、送信する通信経路情報付加情報の通信経路情報から送信先となる対向装置を取得する対向装置取得手段と、これで取得した対向装置へ通信経路情報付加情報を送信するための通信経路を設定する通信経路設定手段と、この通信経路を用いて対向する装置へ通信経路情報付加情報を送信する送信手段を備えている。したがって、対向装置との間に通信経路情報付加情報を送信する通信経路が予め設定されていない場合であっても、通信経路を設定することができる。例えば自装置に対して複数の対向装置が存在しても、送信する通信経路情報付加情報ごとに通信経路を設定するので、通信経路を設定できる数に制限があっても、送信先となる装置の数が限定されない。また、設定される通信経路は通信経路情報付加情報を送信するための通信経路であるため、送信後はこの通信経路をそのままにしてもよいし、通信経路を破棄してもよい。更に、自装置以外の情報送受信装置がこの通信経路情報付加情報送信手段に通信経路情報付加情報を送信することで、この通信経路情報付加情報の通信経路情報に基づいた対向装置へ送信するようにしてもよい。
【００５１】
【発明の実施の形態】
【００５２】
【実施例】
以下実施例につき本発明を詳細に説明する。
【００５３】
第１の実施例
【００５４】
図１は本発明の第１の実施例における情報送受信装置を配置したシステムの構成を表わしたものである。本実施例のシステムには、情報送受信装置としてベルコア（Bellcore）規定により伝送路を切り替えるＡＰＳ制御機能を有する第１の同期光ネットワークまたは同期ディジタルハイアラーキ伝送装置１０１（以下、第１の装置と略称する。）が配置されている。また、第１の装置１０１と対向して、同じくＡＰＳ制御機能を有する第２の同期光ネットワークまたは同期ディジタルハイアラーキ伝送装置１０２（以下、単に第２の装置と称する。）も配置されている。これら第１の装置１０１と、第２の装置１０２間には、ＡＰＳの伝送路切り替えと伝送路障害の伝送路切替制御情報としてのベルコア規定のＫ１バイトおよびＫ２バイト１０３の通知を行う予備伝送路１０４と、ＡＰＳ切替制御情報１０５の伝送を行う監視パス１０６が設定されている。ここでＡＰＳ切替制御情報１０５はＫ１バイトおよびＫ２バイト１０３と異なるものであるが、同様にＡＰＳ伝送路切替情報と伝送路障害情報の伝送路切替制御情報という性格を持った情報である。
【００５５】
また本実施例では、伝送路切替制御情報を対向する装置に送信する場合、運用伝送路と予備伝送路でそれぞれ予め定められた情報について送信するようになっている。伝送路切替制御情報として予備伝送路１０４を介して送信されるのは、第２の装置１０２から第１の装置１０１方向に信号を送信する図示しない予備伝送路の障害を示す伝送路障害の情報と、これらの伝送路に対してのＡＰＳ制御による伝送路切り替えの情報である。第１の装置１０１から第２の装置１０２方向の図示しない運用伝送路では、第２の装置１０２から第１の装置１０１方向に信号を送信する図示しない運用伝送路の障害を示す伝送路障害の情報が伝送路切替制御情報として送信される。また、Ｋ１バイトおよびＫ２バイトとは異なるが、同様に伝送路切替制御情報であるＡＰＳ切替制御情報１０５の伝達を行う通信経路となる監視パス１０６が設定されるようになっている。ここでは、説明を簡単にするために、第１の装置１０１から第２の装置１０２方向の運用伝送路、および第２の装置１０２から第１の装置１０１方向の運用伝送路と予備伝送路については図示および説明を省略する。
【００５６】
第１の装置１０１は、伝送路障害監視部１０７と、制御部１０８と、セレクタ部１０９と、Ｋ１バイトおよびＫ２バイト送信部１１０と、Ｋ１バイトおよびＫ２バイト挿入部１１１と、ＡＰＳ切替制御情報変換部１１２と、ＡＰＳ切替制御情報送信部１１３とを備えている。伝送路障害監視部１０７は、伝送路の監視を行い、伝送路に障害が発生した場合にはその伝送路障害情報を制御部１０８に送信するようになっている。制御部１０８は、伝送路障害監視部１０７から受け取った伝送路障害情報により、セレクタ部１０９に対してワーキングチャネルを切り替えるＡＰＳ制御による伝送路切り替えの処理を指示するセレクタ部制御情報を送信する。ここでワーキングチャネルとは、同方向に信号を送信しＡＰＳ制御上で切り替え対象となる運用伝送路あるいは予備伝送路のうち、ＡＰＳ制御によって選択的に信号を受信している伝送路を指している。また、制御部１０８はこの第１の装置１０１におけるＡＰＳ制御による伝送路切り替えと伝送路障害を示す自装置伝送路切替制御情報１１４をＫ１バイトおよびＫ２バイト送信部１１０とＡＰＳ切替制御情報変換部１１２に送信する。セレクタ部１０９は、制御部１０８からのセレクタ部制御情報に従い、ワーキングチャネルを切り替えるＡＰＳ制御による伝送路切り替えを実施するようになっている。ここで、セレクタ部１０９と、Ｋ１バイトおよびＫ２バイト送信部１１０と、Ｋ１バイトおよびＫ２バイト挿入部１１１と、ＡＰＳ切替制御情報変換部１１２は、ハードウェアとしてそれぞれ予め定められた処理を行うようになっている。
【００５７】
Ｋ１バイトおよびＫ２バイト送信部１１０は、制御部１０８より受け取った自装置伝送路切替制御情報１１４をベルコア規定で定められているＫ１バイトおよびＫ２バイト１０３に変換するようになっている。このＫ１バイトおよびＫ２バイト１０３は、図示されていないがＫ１バイトおよびＫ２バイト挿入部１１１に送信されるようになっている。Ｋ１バイトおよびＫ２バイト挿入部１１１は、Ｋ１バイトおよびＫ２バイト送信部１１０から受信したＫ１バイトおよびＫ２バイト１０３を予備伝送路１０４で送信される信号に挿入されているセクションオーバヘッド（Section Over Head）中に組み込むようになっている。この組み込まれた信号が予備伝送路１０４を介して第２の装置１０２へ送られることで、Ｋ１バイトおよびＫ２バイト１０３が第２の装置１０２へ送られるようになっている。
【００５８】
一方、ＡＰＳ切替制御情報変換部１１２は、制御部１０８から送られてきた第１の装置１０１における伝送路切替制御情報である自装置伝送路切替制御情報１１４を受け取って、ＡＰＳ切替制御情報１０５に変換するようになっている。ＡＰＳ切替制御情報１０５は、第２の装置１０２内で第２の装置１０２から第１の装置１０１方向のワーキングチャネルの伝送路切り替えとなるＡＰＳ制御あるいは、伝送路障害への対応処理を行うために使用することができる情報である。ＡＰＳ切替制御情報変換部１１２は、図示されていないがこのＡＰＳ切替制御情報１０５をＡＰＳ切替制御情報送信部１１３へ送る。ＡＰＳ切替制御情報送信部１１３は、第２の装置１０２のＡＰＳ切替制御情報受信部１１５へＡＰＳ切替制御情報１０５を伝達する通信経路としての監視パス１０６を設けるようになっている。ＡＰＳ切替制御情報送信部１１３は、この監視パス１０６を介して、ＡＰＳ切替制御情報変換部１１２から受け取ったＡＰＳ切替制御情報１０５を、第２の装置１０２のＡＰＳ切替制御情報受信部１１５へ送信する。第１の実施例では監視パスをイーサネット（Ethernet）で構成するものとする。
【００５９】
第２の装置１０２は、Ｋ１バイトおよびＫ２バイト受信部１１６と、ＡＰＳ切替制御情報受信部１１５と、ＡＰＳ切替制御情報変換部１１７と、制御部１１８と、伝送路障害監視部１１９とを備えている。Ｋ１バイトおよびＫ２バイト受信部１１６は、第１の装置１０１からＡＰＳ制御上の予備伝送路１０４を介して伝送された信号に挿入されている、セクションオーバヘッド中からＫ１バイトおよびＫ２バイト１０３を抽出するようになっている。このＫ１バイトおよびＫ２バイト１０３を、第１の装置１０１における伝送路切替制御情報である対向装置伝送路切替制御情報１２０に変換して、制御部１１８に送信する。一方、ＡＰＳ切替制御情報受信部１１５は、監視パス１０６を介して第１の装置１０１のＡＰＳ切替制御情報送信部１１３からＡＰＳ切替制御情報１０５を受け取る。この後、図示されていないがＡＰＳ切替制御情報１０５を、ＡＰＳ切替制御情報変換部１１７へ送信する。ＡＰＳ切替制御情報変換部１１７は、受け取ったＡＰＳ切替制御情報１０５を第１の装置１０１における伝送路切替制御情報である対向装置伝送路切替制御情報１２０に変換して、制御部１１８に送信するようになっている。ここで、Ｋ１バイトおよびＫ２バイト受信部１１６と、ＡＰＳ切替制御情報受信部１１５と、ＡＰＳ切替制御情報変換部１１７は、ハードウェアとして予め定められた処理を行うようになっている。
【００６０】
制御部１１８は、Ｋ１バイトおよびＫ２バイト受信部１１６およびＡＰＳ切替制御情報変換部１１７より対向装置伝送路切替制御情報１２０を受信するようになっている。そして、受信したこれらの情報から、第１の装置１０１におけるＡＰＳ制御により行われた伝送路の切り替えに関する情報と伝送路障害の情報を抽出するようになっている。また、抽出した伝送路切り替えに関する情報に従ったＡＰＳ制御があれば実施し、伝送路障害の情報は伝送路障害監視部１１９に送信するようになっている。伝送路障害監視部１１９は、制御部１１８から伝送路障害の情報を受け取り、第２の装置１０２から第１の装置１０１方向の伝送路障害への対応処理を実施するようになっている。
【００６１】
以上説明した図１では、第１の装置１０１について信号の送信側のみを、第２の装置１０２では信号の受信側のみを示している。すなわち第１の装置１０１から第２の装置１０２への１方向に対するＡＰＳ制御による伝送路切り替えと伝送路障害を示す情報送信の経路に関わる送受信部のみを示している。逆方向である第２の装置１０２から第１の装置１０１方向についても同様であるために、これらの説明および図示を省略する。また、第１の装置１０１から第２の装置１０２方向に信号を送信する運用伝送路を介して、第２の装置１０２から第１の装置１０１方向に信号を送信する運用伝送路の伝送路障害の情報を送信する場合に関しても同様であるため、説明を省略する。次に、図１に示した主な処理部の処理の流れを説明する。
【００６２】
図２は、図１に示した第１の装置に配置された伝送路障害監視部の処理の流れを表わしたものである。伝送路障害監視部１０７は図示しないＣＰＵ（中央処理装置）および制御用のプログラム等を格納した記憶媒体を備えており、このプログラムを実行することで所定の処理を行うようになっている。第２の装置１０２の伝送路障害監視部１１９についても同様である。
【００６３】
第１の装置１０１に配置された伝送路障害監視部１０７は、第２の装置１０２から第１の装置１０１へ信号を送信する伝送路を監視して、障害が発生したか否かを判別する（ステップＳ６０１）。障害が発生した場合には（Ｙ）、それが第２の装置１０２から第１の装置１０１へのＡＰＳ制御上の冗長伝送路である運用伝送路もしくは予備伝送路上に発生した障害であるか判別する（ステップＳ６０２）。ここで、そのようなＡＰＳ制御上の伝送路障害であると判別された場合には（Ｙ）、伝送すべき信号が通る伝送路であるワーキングチャネルを切り替える必要がある障害であるか否かを識別し、通知すべき伝送路障害が発生したことを認識する（ステップＳ６０３）。そして、この伝送路障害を制御部１０８へ送信する（ステップＳ６０４）。この後、または伝送路に障害が発生していない場合（ステップＳ６０１：Ｎ）およびＡＰＳ制御上の伝送路障害ではないと判別された場合（ステップＳ６０２：Ｎ）には、処理の先頭に戻るようになっている（リターン）。
【００６４】
図３は、図１に示した第１の装置に配置された伝送路障害監視部から伝送路障害の情報を送信された第１の装置に配置された制御部の処理の流れを表わしたものである。第１の装置に配置された制御部１０８は、図示しないＣＰＵおよび制御用のプログラム等を格納した記憶媒体を備えており、このプログラムを実行することで所定の処理を行うようになっている。第２の装置１０２に配置された制御部１１８についても同様である。
【００６５】
制御部１０８は、伝送路障害監視部１０７から受け取った伝送路障害情報を基にワーキングチャネルの切り替えを行う必要があるか判別する（ステップＳ６１１）。現在選択されているワーキングチャネルに障害が発生し、切り替えを行う必要がある場合（Ｙ）、セレクタ部１０９にワーキングチャネルを切り替えるＡＰＳ制御の伝送路切り替えを指示する（ステップＳ６１２）。セレクタ部１０９は、この指示に従い、ワーキングチャネルを切り替えるＡＰＳ制御の伝送路切り替えを実施する。この後、またはワーキングチャネルの切り替えを行う必要がない場合（ステップＳ６１１：Ｎ）、第１の装置１０１における伝送路切替制御情報である自装置伝送路切替制御情報１１４を作成する。この自装置伝送路切替制御情報１１４をＫ１バイトおよびＫ２バイト送信部１１０およびＡＰＳ切替制御情報変換部１１２にそれぞれ送信して（ステップＳ６１３）、処理を終了する（エンド）。
【００６６】
図４は、図１に示した第１の装置に配置された制御部から自装置伝送路切替制御情報を送信されたＫ１バイトおよびＫ２バイト送信部の処理の流れを表わしたものである。第１の装置１０１に配置されたＫ１バイトおよびＫ２バイト送信部１１０は、まず、制御部１０８から受け取った自装置伝送路切替制御情報１１４を、ベルコア規定のＫ１バイトおよびＫ２バイト１０３に変換する（ステップＳ６２１）。次に、このＫ１バイトおよびＫ２バイト１０３を、Ｋ１バイトおよびＫ２バイト挿入部１１１に送信して（ステップＳ６２２）、処理を終了する（エンド）。Ｋ１バイトおよびＫ２バイト挿入部１１１は、予備伝送路１０４を介して送信される信号に挿入されるセクションオーバヘッドに、送信されたＫ１バイトおよびＫ２バイト１０３を多重して組み込むことで、第２の装置１０２へＫ１バイトおよびＫ２バイト１０３を送信する。なお、このような処理はハードウェアあるいはソフトウェアあるいはこれらを組み合わせて実現することができる。
【００６７】
図５は、図１に示した第１の装置に配置された制御部から自装置伝送路切替制御情報を送信されたＡＰＳ切替制御情報変換部の処理の流れを表わしたものである。第１の装置１０１に配置されたＡＰＳ切替制御情報変換部１１２は、まず制御部１０８から受け取った自装置伝送路切替制御情報１１４を、ＡＰＳ切替制御情報１０５に変換する（ステップＳ６３１）。ここでＡＰＳ切替制御情報１０５とは、第２の装置１０２に配置されたＡＰＳ切替制御情報変換部１１７で、第１の装置１０１におけるＡＰＳ制御により行われた伝送路の切り替えに関する情報と伝送路障害の情報として変換可能な情報である。また、この情報を用いて第２の装置１０２に配置された制御部１１８は、第２の装置１０２から第１の装置１０１方向のワーキングチャネルの伝送路切り替えとなるＡＰＳ制御、あるいは伝送路障害の対応処理を行うことができる。更に、ＡＰＳ切替制御情報変換部１１２はＡＰＳ切替制御情報１０５に、この自装置伝送路切替制御情報１１４がＫ１バイトおよびＫ２バイト１０３として組み込まれる信号を送信する予備伝送路１０４を示す伝送路情報を組み込む。次に、変換したこのＡＰＳ切替制御情報１０５を、ＡＰＳ切替制御情報送信部１１３に送信して（ステップＳ６３２）、処理を終了する（エンド）。
【００６８】
図６は、図１に示した第１の装置に配置されたＡＰＳ切替制御情報変換部からＡＰＳ切替制御情報を送信されたＡＰＳ切替情報送信部の処理の流れを表わしたものである。第１の装置１０１に配置されたＡＰＳ切替制御情報送信部１１３は、ＡＰＳ切替制御情報１０５が送信されると、まず第２の装置１０２のＡＰＳ切替制御情報受信部１１５との間に、ＡＰＳ切替制御情報１０５を伝達する通信経路として監視パス１０６を設定する（ステップＳ６４１）。既に監視パス１０６が設定されている場合には、これを使用してもよい。次に、この監視パス１０６を介して、ＡＰＳ切替制御情報１０５を第２の装置１０２のＡＰＳ切替制御情報受信部１１５へ送信して（ステップＳ６４１）、処理を終了する（エンド）。
【００６９】
図７は、図１に示した予備伝送路１０４を介して伝送された信号を受信した第２の装置におけるＫ１バイトおよびＫ２バイト受信部の処理の流れを表わしたものである。第２の装置１０２に配置されたＫ１バイトおよびＫ２バイト受信部１１６は、まず受信した信号に挿入されているセクションオーバヘッド中からＫ１バイトおよびＫ２バイト１０３が取得できたか否かを確認する（ステップＳ６５１）。例えば、Ｋ１バイトおよびＫ２バイト１０３が連続する一定数の信号に同じものを組み込んで送信するようになっている場合には、連続して一定数同じＫ１バイトおよびＫ２バイト１０３が受信された場合取得できたことになる。もちろん予備伝送路１０４に障害が発生して信号自体が伝送されない場合は、Ｋ１バイトおよびＫ２バイト１０３は取得できない。次にＫ１バイトおよびＫ２バイト１０３が取得できた場合（Ｙ）、これを第１の装置１０１における伝送路切替制御情報である対向装置伝送路切替制御情報１２０に変換する（ステップＳ６５２）。最後に、変換された対向装置伝送路切替制御情報１２０を制御部１１８に送信して（ステップＳ６５３）処理の先頭に戻るようになっている（リターン）。
【００７０】
図８は、図１に示した第２の装置に配置されたＡＰＳ切替制御情報受信部が監視パスを介して受け取ったＡＰＳ切替制御情報を送信されたＡＰＳ切替制御情報変換部の処理の流れを表わしたものである。第２の装置１０２に配置されたＡＰＳ切替制御情報変換部１１７は、まず受け取ったＡＰＳ切替制御情報１０５を対向装置伝送路切替制御情報１２０に変換する（ステップＳ６６１）。ただし、ＡＰＳ切替制御情報１０５に組み込まれている、第１の装置１０１において自装置伝送路切替制御情報１１４がＫ１バイトおよびＫ２バイト１０３として組み込まれる信号を送信する伝送路を示す伝送路情報を、変換後取り除く。次に、この伝送路情報と対向装置伝送路切替制御情報１２０を制御部１１８に送信して（ステップＳ６６２）、処理を終了する（エンド）。
【００７１】
図９は、図１に示した第２の装置に配置されているＫ１バイトおよびＫ２バイト受信部およびＡＰＳ切替制御情報変換部から、対向装置伝送路切替制御情報を送信された制御部の処理の流れを表わしたものである。第２の装置１０２に配置された制御部１１８は、まずＫ１バイトおよびＫ２バイト受信部１１６およびＡＰＳ切替制御情報変換部１１７のいずれかから、対向装置伝送路切替制御情報１２０を受信する（ステップＳ６７１）。次に、受信した対向装置伝送路切替制御情報１２０より、第１の装置１０１におけるＡＰＳ制御により行われたワーキングチャネルの伝送路の切り替えに関する情報と、伝送路障害の情報を抽出する（ステップＳ６７２）。この後、抽出した伝送路の切り替えに関する情報に対応したＡＰＳ制御を指示（ステップＳ６７３）し、また伝送路障害監視部１１９に伝送路障害の情報を送信して（ステップＳ６７４）、処理の先頭に戻るようになっている（リターン）。ここでＡＰＳ制御を指示された図示しない処理部はＡＰＳ制御を実施し、伝送路障害監視部１１９は受け取った伝送路障害の情報より、第２の装置１０２から第１の装置１０１方向の伝送路障害への対応処理を実施する。
【００７２】
図１０は、図９に示したステップＳ６７１の処理の流れを詳細に表わしたものである。制御部１１８は、Ｋ１バイトおよびＫ２バイト受信部１１６およびＡＰＳ切替制御情報変換部１１７の双方あるいはいずれかから、対向装置伝送路切替制御情報１２０を受信すると、Ｋ１バイトおよびＫ２バイト受信部１１６から受信したか否かを判別する（ステップＳ６８１）。受信している場合（Ｙ）には、更にＡＰＳ切替制御情報変換部１１７から対向装置伝送路切替制御情報１２０を受信したか否かを判別する（ステップＳ６８２）。ＡＰＳ切替制御情報変換部１１７から受信した対向装置伝送路切替制御情報１２０であるか否かは、例えばこれと共に送信される伝送路情報から判別する。ここでは、この伝送路情報がＫ１バイトおよびＫ２バイト受信部１１６がＫ１バイトおよびＫ２バイト１０３を受信する予備伝送路１０４を示していれば、受信されていると判別される。受信している場合（Ｙ）には、ＡＰＳ切替制御情報変換部１１７から受信した対向装置伝送路切替制御情報１２０を廃棄する（ステップＳ６８３）。この後、またはＫ１バイトおよびＫ２バイト受信部１１６から受信していない場合（ステップＳ６８１：Ｎ）およびＫ１バイトおよびＫ２バイト受信部１１６から受信しているがＡＰＳ切替制御情報変換部１１７からは受信していない場合には（ステップＳ６８２：Ｎ）、処理を終了する（エンド）。このように、Ｋ１バイトおよびＫ２バイト受信部１１６から受け取った対向装置伝送路切替制御情報１２０を優先する処理を行う。
【００７３】
以上説明したように、自装置伝送路切替情報１１４は、第１の装置１０１から予備伝送路１０４あるいは監視パス１０６を介して送信され、第２の装置１０２に対向装置伝送路切替制御情報１２０として受信されるようになっている。これによって、予備伝送路１０４に障害が発生した場合であっても、監視パス１０６を介して第２の装置１０２は対向装置伝送路切替制御情報１２０を受信することができる。したがって、予備伝送路１０４に障害が発生した場合であっても、第２の装置１０２は監視パス１０６から対向装置伝送路切替制御情報１２０を取得して、これに基づいた伝送路の切り替えおよび伝送路障害への対応を行うことができる。また、予備伝送路１０４と監視パス１０６を介して、両方から対向装置伝送路切替制御情報１２０を受信した場合であっても、予備伝送路１０４を介して受信した情報を優先するようになっている。したがって、ベルコア規定に従って予備伝送路を用いて送信されるＡＰＳ制御に関する情報によるＡＰＳ制御を優先し、これに障害が発生したときにサポートするシステムを構成することができる。
【００７４】
次に、図１８で示した従来の情報送受信装置を配置したシステムに発生した問題を、図１で示した本発明を適用した情報送受信装置を配置したシステムを用いることで解決する様子を説明する。
【００７５】
図１１は、図１８に示したＡＰＳ制御を持つ装置に本発明を適用した構成における伝送路で、伝送路の一次障害発生後、障害復旧がなされる前に発生した伝送路障害、いわゆる二次障害が発生したときの構成を表わしたものである。図１１で図１８と同一の部分には同一の符号を付しており、これらの説明を適宜省略する。このシステムは、ベルコア規定により伝送路を切り替えるＡＰＳ制御機能を有する第１の同期光ネットワークまたは同期ディジタルハイアラーキ伝送装置（以下、第１の装置と略称する。）２０１Ａと、同じくＡＰＳ制御機能を有する第２の同期光ネットワークまたは同期ディジタルハイアラーキ伝送装置（以下、単に第２の装置と称する。）２０２Ａを情報送受信装置として対向配置した構成となっている。
【００７６】
第１の装置２０１Ａと第２の装置２０２Ａの間には、双方向とも冗長伝送路構成の第１の回線４０１と第２の回線４０２が接続されている。これらの回線に存在する伝送路は、ネットワーク管理者によってＡＰＳ制御上の運用伝送路と予備伝送路が予め定められている。すなわち第１の装置２０１Ａから第２の装置２０２Ａ方向には第１の回線４０１を使用した運用伝送路２０３と第２の回線４０２を使用した予備伝送路２０４が存在し、第２の装置２０２Ａから第１の装置２０１Ａ方向には第１の回線４０１を使用した運用伝送路２０５と第２の回線４０２を使用した予備伝送路２０６が存在している。また、ＡＰＳ制御による伝送すべき主信号を選択的に受信する伝送路としてのワーキングチャネル（Working Channel）は、第１の装置２０１Ａから第２の装置２０２Ａ方向については運用伝送路２０３を、また第２の装置２０２Ａから第１の装置２０１Ａ方向については予備伝送路２０６をそれぞれ選択しており、これらの装置２０１Ａ、２０２Ａ間で主信号の送受信が行われている。
【００７７】
ワーキングチャネルの切り替えは、単方向切替（unidirectional）となっている。単方向切替とは、障害が発生したワーキングチャネルとして指定された伝送路だけを切り替えることを指している。したがって、信号の送受信を行っている装置間で、仮に一方向を送信とした場合に、送信側のワーキングチャネルで切り替えが行われても受信側のワーキングチャネルは、これに障害が発生しない限り切り替えられることはない。次に、第１および第２の装置２０１Ａ、２０２Ａの構成について説明する。
【００７８】
まず、第１および第２の装置２０１Ａ、２０２Ａの構成の図１８で説明した第１および第２の装置２０１、２０２と同様の処理部分について説明する。
【００７９】
第１の装置２０１Ａ内には第２の装置２０２Ａへ送信する信号をコピーするブリッジ部２０７と、ブリッジ部２０７から出力される信号をそれぞれ入力してＫ１バイトおよびＫ２バイトを挿入する第１および第２のＫ１バイトおよびＫ２バイト挿入部（挿入部）２０８、２０９と、第２の装置２０２ＡからＫ１バイトおよびＫ２バイトを受信する第１および第２のＫ１バイトおよびＫ２バイト受信部（受信部）２１７、２１８と、伝送路障害を監視する伝送路障害監視部２２７と、Ｋ１バイトおよびＫ２バイトの送信制御を行うＫ１バイトおよびＫ２バイト送信部（送信部）２３０と、受信した信号を選択して出力させるためのセレクタ部２１９と、全体的な制御を行う制御部２３４が設けられている。制御部２３４は第１および第２のＫ１バイトおよびＫ２バイト受信部２１７、２１８から対向装置の伝送路を切り替えるための対向装置伝送路切替制御情報４１１、２２６を受信するようになっている。また、伝送路障害監視部２２７との間で伝送路障害情報の送受信を行うようになっている。更に、Ｋ１バイトおよびＫ２バイト送信部２３０に対しては自装置伝送路切替制御情報２２９を、セレクタ部２１９に対してはセレクタ部制御情報をそれぞれ送信してこれらの切替制御を行わせるようになっている。
【００８０】
第２の装置２０２Ａ内には第１の装置２０１Ａへ送信する信号をコピーするブリッジ部２１４と、ブリッジ部２１４から出力される信号をそれぞれ入力してＫ１バイトおよびＫ２バイトを挿入する第１および第２のＫ１バイトおよびＫ２バイト挿入部（挿入部）２１５、２１６と、第２の装置２０１からＫ１バイトおよびＫ２バイトを受信する第１および第２のＫ１バイトおよびＫ２バイト受信部（受信部）２１０、２１１と、伝送路障害を監視する伝送路障害監視部２２２と、Ｋ１バイトおよびＫ２バイトの送信制御を行うＫ１バイトおよびＫ２バイト送信部（送信部）２２４と、受信した信号を選択して出力させるためのセレクタ部２１２と、全体的な制御を行う制御部２３９が設けられている。制御部２３９は第１および第２のＫ１バイトおよびＫ２バイト受信部２１０、２１１から対向装置の伝送路を切り替えるための対向装置伝送路切替制御情報４２１、２３２を受信するようになっている。また、伝送路障害監視部２２２との間で伝送路障害情報の送受信を行うようになっている。更に、Ｋ１バイトおよびＫ２バイト送信部２２４に対しては自装置伝送路切替制御情報２２３を、セレクタ部２１２に対してはセレクタ部制御情報をそれぞれ送信してこれらの切替制御を行わせるようになっている。このように、第２の装置２０２Ａも第１の装置２０１Ａと構成は同一である。
【００８１】
次に第１の装置２０１Ａから第２の装置２０２Ａへ信号を伝送する動作について説明する。まず第１の装置２０１Ａから第２の装置２０２Ａへ送信する信号は、第１の装置２０１Ａのブリッジ部２０７でコピーされ、運用伝送路２０３とつながる第１のＫ１バイトおよびＫ２バイト挿入部２０８および予備伝送路２０４とつながる第２のＫ１バイトおよびＫ２バイト挿入部２０９にそれぞれ入力される。制御部２３４は、伝送路障害監視部２２７から受け取った伝送路障害情報に基づいた自装置伝送路切替制御情報２２９をＫ１バイトおよびＫ２バイト送信部２３０へ入力する。Ｋ１バイトおよびＫ２バイト送信部２３０は、これを第１および第２のＫ１バイトおよびＫ２バイト挿入部２０８、２０９それぞれに応じたＫ１バイトおよびＫ２バイトに変換し、それぞれに対して送信する。第１および第２のＫ１バイトおよびＫ２バイト挿入部２０８、２０９では、入力されたＫ１バイトおよびＫ２バイトを入力された信号へ多重挿入し、両方の通信経路からそれぞれ信号が第２の装置２０２Ａへ伝送される。このとき、第１のＫ１バイトおよびＫ２バイト挿入部２０８では、信号に挿入されるセクションオーバヘッド内のＫ１およびＫ２バイトに、ＡＰＳバイトとしてゼロパターンが組み込まれるようになっている。また、第２のＫ１バイトおよびＫ２バイト挿入部２０９では、信号に挿入されるセクションオーバヘッド内のＫ１およびＫ２バイトにＡＰＳバイトとしてＡＰＳ制御に関する情報が組み込まれるようになっている。
【００８２】
第２の装置２０２Ａへ送られてきた信号は、運用伝送路２０３とつながる第１のＫ１バイトおよびＫ２バイト受信部２１０、予備伝送路２０４とつながる第２のＫ１バイトおよびＫ２バイト受信部２１１でそれぞれ受信される。それぞれの受信部では、受信された信号にＫ１およびＫ２バイトが多重挿入されているか否かを判別した後、セレクタ部２１２へ送る。このとき、それぞれの受信部は、判別の結果に関わりなく信号をセレクタ部２１２へ送るようになっている。セレクタ部２１２では、制御部２３９から受け取ったセレクタ部制御情報に従って伝送路をセレクトし、信号を受信するようになっている。図１１の場合、運用伝送路２０３をセレクトし、運用伝送路２０３を介して送られてきた信号だけを主信号として選択的に受信する。また、セレクトされていない伝送路（ここでは予備伝送路２０４）を介して送られてきた信号は、輻輳を避けるため廃棄されるようになっている。また、第１および第２のＫ１バイトおよびＫ２バイト受信部２１０、２１１は多重挿入されているＫ１バイトおよびＫ２バイトを対向装置伝送路切替制御情報４２１、２３２に変換してから、それぞれ制御部２３９へ入力する。制御部２３９は、これらの情報に基づいたセレクタ部制御情報をセレクタ部２１２へ送信し、また伝送路障害情報を伝送路障害監視部２２２へ送信する。セレクタ部２１２および伝送路障害監視部２２２は、それぞれ送信された情報に基づいて伝送路切り替えおよび伝送路障害への対応処理を行う。
【００８３】
次に、第２の装置２０２Ａから第１の装置２０１Ａへ信号を伝送する場合の動作について説明を行うが、以上説明した第１の装置２０１Ａから第２の装置２０２Ａへ信号を伝送する場合の説明と同様の部分は、適宜説明を省略する。第２の装置２０２Ａから第１の装置２０１Ａへ送信する信号は、ブリッジ部２１４でコピーされ、運用伝送路２０５とつながる第１のＫ１バイトおよびＫ２バイト挿入部２１５および予備伝送路２０６とつながる第２のＫ１バイトおよびＫ２バイト挿入部２１６に入力される。制御部２３９は、伝送路障害監視部２２２から受け取った伝送路障害情報に基づいた自装置伝送路切替制御情報２２３をＫ１バイトおよびＫ２バイト送信部２２４へ入力する。Ｋ１バイトおよびＫ２バイト送信部２２４は、これを第１および第２のＫ１バイトおよびＫ２バイト挿入部２１５、２１６それぞれに応じたＫ１バイトおよびＫ２バイトに変換し、それぞれに対して送信する。第１および第２のＫ１バイトおよびＫ２バイト挿入部２１５、２１６では入力された信号にＫ１バイトおよびＫ２バイトをそれぞれ多重挿入し、両方の通信経路からそれぞれの信号が第１の装置２０１Ａへ伝送される。
【００８４】
第１の装置２０１Ａへ送られてきた信号は、それぞれ第１の装置２０１Ａの運用伝送路２０５とつながる第１のＫ１バイトおよびＫ２バイト受信部２１７および予備伝送路２０６とつながる第２のＫ１バイトおよびＫ２バイト受信部２１８で受信される。この後、受信された信号は第１の装置２０１Ａのセレクタ部２１９に送られる。セレクタ部２１９は、制御部２３４から受け取ったセレクタ部制御情報に従って、予備伝送路２０６を介して送られてきた信号だけを主信号として選択的に受信し、セレクトされていない伝送路（ここでは運用伝送路２０５）を介して送られてきた信号は廃棄する。また、第１および第２のＫ１バイトおよびＫ２バイト受信部２１７、２１８は多重挿入されているＫ１バイトおよびＫ２バイトを対向装置伝送路切替制御情報４１１、２２６に変換してから、それぞれ制御部２３４へ入力する。制御部２３４は、これらの情報に基づいたセレクタ部制御情報をセレクタ部２１９へ送信し、また伝送路障害情報を伝送路障害監視部２２７へ送信する。セレクタ部２１９および伝送路障害監視部２２７は、それぞれ送信された情報に基づいて伝送路切り替えおよび伝送路障害への対応処理を行う。
【００８５】
図１１では、図１８に示したと同様に、ＡＰＳ制御による伝送すべき信号を選択的に受信される伝送路であるワーキングチャネルは、第１の装置２０１Ａから第２の装置２０２Ａの方向では運用伝送路２０３がセレクトされており、第２の装置２０２Ａから第１の装置２０１Ａ方向では予備伝送路２０６がセレクトされているものとする。また、第１の装置２０１Ａから第２の装置２０２Ａ方向の予備伝送路２０４に伝送路障害２２１（一次障害）が発生している。更に、この予備伝送路２０４の障害復旧がなされる前に、第２の装置２０２Ａから第１の装置２０１Ａ方向の予備伝送路２０６に対して伝送路障害２２８（二次障害）が発生しているものとする。
【００８６】
本発明を適用した情報送受信装置を配置したシステムと、図１８で示した従来のシステムの違いは、本発明がこのような二次障害発生時に伝送路以外に自装置伝送路切替制御情報を対向する装置に送信する手段を備えているという点である。自装置伝送路切替制御情報は、先に説明した予備伝送路あるいは運用伝送路を用いて対向する装置へ送信されるＫ１バイトおよびＫ２バイトと同様の情報を含んでいるＡＰＳ切替制御情報として対向する装置へ送信される。第１の装置２０１ＡにはこのようなＡＰＳ切替制御情報２３３を第２の装置２０２Ａへ送信するために、ＡＰＳ切替制御情報変換部（制御情報変換部）２３５と、ＡＰＳ切替制御情報送信部（制御情報送信部）２３６が備えられている。これらは、それぞれ図１で説明したＡＰＳ切替制御情報変換部１１２と、ＡＰＳ切替制御情報送信部１１３と同様の機能を有している。また、第２の装置２０２Ａには、このＡＰＳ切替制御情報２３３を第１の装置２０１Ａから受信するために、ＡＰＳ切替制御情報受信部（制御情報受信部）２３７と、ＡＰＳ切替制御情報変換部（制御情報変換部）２３８が備えられている。これらも、それぞれ図１で説明したＡＰＳ切替制御情報受信部１１５と、ＡＰＳ切替制御情報変換部１１７と同様の機能を有している。更に、ＡＰＳ切替制御情報送信部２３６とＡＰＳ切替制御情報受信部２３７の間には、ＡＰＳ切替制御情報２３３の通信経路となる監視パス２４０が設定されており、図１で説明した監視パス１０６と同様の機能を有している。
【００８７】
また、第２の装置２０２Ａから第１の装置２０１ＡへＡＰＳ切替制御情報２４１を送信するために、第２の装置２０２ＡにはＡＰＳ切替制御情報送信部（制御情報送信部）２４２、第１の装置２０１ＡにはＡＰＳ切替制御情報受信部（制御情報受信部）２４３が備えられている。これらも図１で説明したＡＰＳ切替制御情報送信部１１３、ＡＰＳ切替制御情報受信部１１５と同様の機能を有している。このような場合、第２の装置２０２Ａに備えられている制御部２３９とＡＰＳ切替制御情報変換部２３８は、ＡＰＳ切替制御情報２４１を送信するため、それぞれ図１で説明した制御部１０８、ＡＰＳ切替制御情報変換部１１２と同様の機能を有している。同様にして、第１の装置２０１Ａに備えられている制御部２３４とＡＰＳ切替制御情報変換部２３５は、ＡＰＳ切替制御情報２４１を受信するため、それぞれ図１で説明した制御部１１８、ＡＰＳ切替制御情報変換部１１７と同様の機能を有している。更に、ＡＰＳ切替制御情報送信部２４２とＡＰＳ切替制御情報受信部２４３の間には、ＡＰＳ切替制御情報の通信経路となる監視パス２４４が設定されており、図１で説明した監視パス１０６と同様の機能を有している。
【００８８】
更に、図１１に示した第１の装置２０１Ａの制御部２３４も、図１８に示した制御部２２０とは異なる。異なる点は、自装置伝送路切替制御情報２２９をＫ１バイトおよびＫ２バイト送信部２３０だけではなく、ＡＰＳ切替制御情報変換部２３５にも送信する点である。また、図１１に示した第２の装置２０２Ａの制御部２３９が図１８に示した制御部２１３と異なる点は、対向装置伝送路切替制御情報２３２を第２のＫ１バイトおよびＫ２バイト受信部２１１からだけではなく、ＡＰＳ切替制御情報変換部２３８からも受け取る点である。次に第１の装置２０１Ａ方向から第２の装置２０２Ａ方向へのＡＰＳ切替制御情報２３３を送信する動作について説明する。ＡＰＳ切替制御情報変換部２３５は、受け取った自装置伝送路切替制御情報２２９をＡＰＳ切替制御情報２３３に変換して、ＡＰＳ切替制御情報送信部２３６に送り、ＡＰＳ切替制御情報送信部２３６はこれを監視パス２４０を介してＡＰＳ切替制御情報受信部２３７へ送る。ＡＰＳ切替制御情報受信部２３７は受け取ったＡＰＳ切替制御情報２３３をＡＰＳ切替制御情報変換部２３８に送り、ＡＰＳ切替制御情報変換部２３８は、これを対向装置伝送路切替制御情報２３２に変換して、制御部２３９へ送る。以上では、第１の装置２０１Ａ方向から第２の装置２０２Ａ方向へＡＰＳ切替制御情報２３３を送信する処理について説明したが、逆方向に送信するための処理も同様であるので、説明を省略する。
【００８９】
このような図１１で示した情報送受信装置を配置したシステムにおいて、予備伝送路２０６で発生した伝送路障害２２８に対しての、予備伝送路２０４を用いてＫ１バイトおよびＫ２バイト２３１を送信する処理は、図１８で説明したものと同様である。したがって、予備伝送路２０４を用いて送信したＫ１バイトおよびＫ２バイト２３１は、第２の装置２０２Ａに受信されない。しかしながら、制御部２３４はこの第１の装置２０１Ａにおける自装置伝送路切替制御情報２２９をＫ１バイトおよびＫ２バイト送信部２３０だけでなく、ＡＰＳ切替制御情報変換部２３５にも送信する（図３：ステップＳ６１３）。これを受け取ったＡＰＳ切替制御情報変換部２３５はこれをＡＰＳ切替制御情報２３３に変換して（図５：ステップＳ６３１）、ＡＰＳ切替制御情報送信部２３６へ送信する（図５：ステップＳ６３２）。ＡＰＳ切替制御情報送信部２３６は、これを受け取ると第２の装置２０２ＡのＡＰＳ切替制御情報受信部２３７との間にＡＰＳ切替制御情報２３３を伝達する通信経路としての監視パス２４０を設定する（図６：ステップＳ６４１）。既に監視パス２４０が設定されている場合には、これを使用してもよい。この監視パス２４０を介して、第２の装置２０２のＡＰＳ切替制御情報受信部２３７へＡＰＳ切替制御情報２３３を送信する（図６：ステップＳ６４２）。
【００９０】
第２の装置２０２ＡのＡＰＳ切替制御情報受信部２３７は、第１の装置２０１ＡのＡＰＳ切替制御情報送信部２３６との監視パス２４０を介して受け取ったＡＰＳ切替制御情報２３３をＡＰＳ切替制御情報変換部２３８へ送る。受け取ったＡＰＳ切替制御情報変換部２３８は、これを対向装置伝送路切替制御情報２３２に変換して（図８：ステップＳ６６１）、制御部２３９へ送信する（図８：ステップＳ６６２）。ここで対向装置伝送路切替制御情報２３２は、第１の装置２０１ＡにおけるＡＰＳ制御により行われた伝送路の切り替えに関する情報と伝送路障害の情報を示している。制御部２３９は、対向装置伝送路切替制御情報２３２を受信すると（図９：ステップＳ６７１）、Ｋ１バイトおよびＫ２バイト受信部２１１からは受信していないので（図１０：ステップＳ６８１：Ｎ）、ＡＰＳ切替制御情報変換部２３８から受信した情報を用いて以降の処理（図９：ステップＳ６７２〜ステップＳ６７４）を行うことになる。
【００９１】
このように、予備伝送路２０４での伝送路障害２２１が継続し復旧していない状態であるため、予備伝送路２０４を用いてＫ１バイトおよびＫ２バイト２３１を第２の装置２０２Ａに伝えられない。しかしながら、ＡＰＳ切替制御情報変換部２３５、ＡＰＳ切替制御情報送信部２３６、監視パス２４０、ＡＰＳ切替制御情報受信部２３７、ＡＰＳ切替制御情報変換部２３８の処理経路を用いて、ＡＰＳ切替制御情報２３３を第１の装置２０１Ａから第２の装置２０２Ａに送信することができる。第２の装置２０２Ａは、このＡＰＳ切替制御情報２３３より変換された、対向装置伝送路切替制御情報２３２に対応したＡＰＳ制御による伝送路切り替えや伝送路障害への対応を行う。以上説明したように本発明を適用することで、伝送路に発生した二次障害に対して、ＡＰＳ制御による伝送路切り替えや伝送路障害への対応を行うことができる。
【００９２】
第２の実施例
【００９３】
図１２は本発明の第２の実施例におけるＡＰＳ切替制御監視装置と情報送受信装置を配置したシステムの構成を表わしたものである。図１２で図１と同一の部分には同一の符号を付しており、これらの説明を適宜省略する。ここでは第１の装置１０１のＡＰＳ切替制御情報送信部１１３と第２の装置１０２のＡＰＳ切替制御情報受信部１１５の間に監視パスに代わり、ＡＰＳ切替制御監視装置３０１が配置されている。この点が図１に示した情報送受信装置を配置したシステムと異なる。このＡＰＳ切替制御監視装置３０１には、ＡＰＳ切替制御情報受信部３０２と、装置検索部３０３と、装置記憶部３０４と、ＡＰＳ切替制御情報送信部３０５を備えている。また、第１の装置１０１とＡＰＳ切替制御監視装置３０１の間およびＡＰＳ切替制御監視装置３０１と第２の装置１０２の間には、予め通信経路が設定されている。
【００９４】
ＡＰＳ切替制御情報受信部３０２は、第１の装置１０１のＡＰＳ切替制御情報送信部１１３からＡＰＳ切替制御情報１０５を受け取り、装置検索部３０３へ送信するようになっている。装置検索部３０３は、受け取ったＡＰＳ切替制御情報１０５より伝送路情報を抽出し、このＡＰＳ切替制御情報１０５を送信すべき対向装置およびその対向装置の宛先を記憶した装置記憶部３０４から検索するようになっている。ここで伝送路情報とは、ＡＰＳ切替制御情報１０５と同様の情報が、送信する信号に組み込まれる伝送路を示す情報のことである。したがって、図１２では予備伝送路１０４を示す情報として、例えば接続されているポート番号やポートが設置されたカード番号等が伝送路情報としてＡＰＳ切替制御情報１０５に付加されている。装置検索部３０３は、検索した対向装置および対向装置の宛先の情報とともに、ＡＰＳ切替制御情報１０５をＡＰＳ切替制御情報送信部３０５に送信する。ＡＰＳ切替制御情報送信部３０５は、この対向装置または対向装置の宛先に、ＡＰＳ切替制御情報１０５を送信する。また、ＡＰＳ切替制御監視装置３０１は図示しないＣＰＵ（中央演算処理装置）やＲＯＭ（リード・オンリ・メモリ）等の記憶媒体を備えていて、このＣＰＵが記憶媒体に格納されているプログラムを実行することにより、制御されるようになっている。
【００９５】
図１３は、図１２で示したＡＰＳ切替制御監視装置内部の処理の流れを表わしたものである。ＡＰＳ切替制御監視装置３０１のＡＰＳ切替制御情報受信部３０２はＡＰＳ切替制御情報１０５を受信する（ステップＳ７０１）。この後、受信したＡＰＳ切替制御情報１０５を装置検索部３０３へ送信する。装置検索部３０３は、受け取ったＡＰＳ切替制御情報１０５から伝送路情報を抽出し、このＡＰＳ切替制御情報１０５を送信すべき対向装置およびその対向装置の宛先を装置記憶部３０４より検索し（ステップＳ７０２）、これらの情報とともにＡＰＳ切替制御情報１０５をＡＰＳ切替制御情報送信部３０５へ送信し、ＡＰＳ切替制御情報送信部３０５は、この対向装置の宛先へＡＰＳ切替制御情報１０５を送信する（ステップＳ７０３）。
【００９６】
次に第２の実施例で示した情報送受信装置を配置したシステムの動作を図１２を用いて説明する。この第２の実施例で第１の実施例で説明した動作と異なる箇所は、第１の装置１０１のＡＰＳ切替制御情報送信部１１３から第２の装置１０２のＡＰＳ切替制御情報受信部１１５へＡＰＳ切替制御情報１０５を送信する部分であり、これ以外の処理に関しては、第１の実施例と同様であるために説明を省略する。
【００９７】
第１の装置１０１のＡＰＳ切替制御情報送信部１１３は、ＡＰＳ切替制御監視装置３０１に対して予め設定されている通信経路を介して、ＡＰＳ切替制御情報１０５を送信する。このとき、ＡＰＳ切替制御情報１０５には、伝送路を示す伝送路情報が付加されている。ＡＰＳ切替制御監視装置３０１は第２の装置１０２のＡＰＳ切替制御情報受信部１１５に、受信したＡＰＳ切替制御情報１０５を送信する。ＡＰＳ切替制御監視装置３０１内部の処理については先に説明したとおりである。第２の装置１０２のＡＰＳ切替制御情報受信部１１５は、ＡＰＳ切替制御情報監視装置３０１のＡＰＳ切替制御情報送信部３０５から、予め設定されている通信経路を介してＡＰＳ切替制御情報１０５を受信する。このように、ＡＰＳ切替制御情報１０５を第１の装置１０１のＡＰＳ切替制御情報送信部１１３から、第２の装置１０２のＡＰＳ切替制御情報受信部１１５へ送信することができる。
【００９８】
図１４は、図１１に示した情報送受信装置を配置したシステムの監視パスを図１２に示したＡＰＳ切替制御監視装置に置き換えた構成を表わしたものである。図１４で図１１および図１２と同一の部分には同一の符号を付しており、これらの説明を適宜省略する。図１４では、図１１に示した監視パス２４０に代わり、ＡＰＳ切替制御監視装置３０１が第１の装置２０１Ｂと第２の装置２０２Ｂの間に配置されている。ＡＰＳ切替制御監視装置３０１は、ＡＰＳ切替制御情報受信部３０２と、装置検索部３０３と、装置記憶部３０４と、ＡＰＳ切替制御情報送信部３０５を備えている。
【００９９】
次にこの情報送受信装置を配置したシステムの動作について説明する。ＡＰＳ切替制御情報を第１の装置２０１Ｂと第２の装置２０２Ｂの間で送受信する処理部分の動作以外は、図１１で説明した第１の装置２０１Ａおよび第２の装置２０２Ａの処理と同様であるので、それらの説明を省略する。また、第１の装置２０１ＢとＡＰＳ切替制御監視装置３０１およびＡＰＳ切替制御監視装置３０１と第２の装置２０２Ｂの間でのＡＰＳ切替制御情報２３３の送受信についての処理動作は図１２で説明したと同様であるので、適宜説明を省略する。第１の装置２０１ＢのＡＰＳ切替制御情報送信部２３６からＡＰＳ切替制御監視装置３０１に送信されたＡＰＳ切替制御情報２３３は、ＡＰＳ切替制御監視装置３０１のＡＰＳ切替制御情報受信部（制御情報受信部）３０２に受信される。ＡＰＳ切替制御情報受信部３０２で受信されたＡＰＳ切替制御情報２３３は、装置検索部３０３および装置記憶部３０４によって、送信先となる装置とその宛先が検索される。そして検索された装置である第２の装置２０２Ｂに対して、ＡＰＳ切替制御監視装置３０１のＡＰＳ切替制御情報送信部（制御情報送信部）３０５が、ＡＰＳ切替制御情報２３３を送信する。第２の装置２０２ＢのＡＰＳ切替制御情報受信部２３７は、ＡＰＳ切替制御情報送信部３０５から送信されるＡＰＳ切替制御情報２３３を受信するようになっている。第２の装置２０２Ｂから第１の装置２０１Ｂ方向へＡＰＳ切替制御情報２４１を送信する場合も同様であるため、説明を省略する。
【０１００】
以上説明したように、第２の実施例では図１４に示す第１の装置２０１Ｂと第２の装置２０２Ｂの間に監視パスを設けることができない場合に、直接ＡＰＳ切替制御情報を送受信するのではなく、ＡＰＳ切替制御監視装置３０１を中継するようにしている。ＡＰＳ切替制御情報を受信したＡＰＳ切替制御監視装置３０１では、送信先となる伝送路の対向側の装置を検索し、この装置へＡＰＳ切替制御情報を送信するようにしている。例えば、第１の実施例で説明した情報送受信装置を配置したシステムでは、ＡＰＳで伝送路を切替制御する装置がｎ台存在し（ただしｎ＞１）、このｎ台がそれぞれ自装置以外の装置とメッシュ型に伝送路を構築して、監視パスもそれぞれの装置間で送信または受信のためにそれぞれ設けた場合、監視パスは次の式（１）で示す本数必要となる。
【０１０１】
ｎ×（ｎ−１）    ……  （１）
【０１０２】
第２の実施例で説明した情報送受信装置を配置したシステムでは、同じようにＡＰＳ制御で伝送路を切り替える装置がｎ台存在する場合でも、必要な通信経路は次の式（２）で示す本数となる。これはＡＰＳ切替制御監視装置とそれぞれの装置の間でＡＰＳ切替制御情報の送信または受信をそれぞれ行う通信経路の本数である。
【０１０３】
ｎ×２    ……  （２）
【０１０４】
このように、装置間ごとに特定の監視パスを設ける必要がなくなり、ＡＰＳ切替制御情報を一元的に管理したり取扱うことが可能となる。したがって、ある１つの装置が複数の装置とＡＰＳ切替制御情報の送受信を行う場合に、通信経路の構成を簡素化することができる。また各装置でのＡＰＳ切替制御情報を送受信する経路の設定もＡＰＳ切替制御監視装置向けの経路設定２本のみでよいので、ネットワーク管理の簡素化、保守性の向上を期待できる。更に、複数の装置間の障害情報が１つのＡＰＳ切替制御監視装置を経由するので、障害情報を集中して管理することができる。以上の説明では、監視パスおよび通信経路を送信と受信でそれぞれ設定したものとして本数を計算しているが、送受信を１本で行った場合は、式（１）および式（２）で表わされる計算結果が半分になる。
【０１０５】
第２の実施例の変形例
【０１０６】
図１５は本発明の第２の実施例の変形例における情報送受信装置を配置したシステムの構成を表わしたものである。図１５で図１４と同一の部分には同一の符号を付しており、これらの説明を適宜省略する。この第２の実施例の変形例では、ＡＰＳ切替制御監視装置を設けず、第２の実施例でＡＰＳ切替制御監視装置内に設けられていた装置検索部および装置記憶部が情報送受信装置であるそれぞれの同期光ネットワークあるいは同期ディジタルハイアラーキ装置内部に設けられている。
【０１０７】
この変形例の第１の装置２０１Ｃでは、ＡＰＳ切替制御情報送信部２３６Ｃに装置検索部３０３が接続されている。また、装置検索部３０３には、装置記憶部３０４が接続されている。装置検索部３０３には、装置記憶部３０４を検索する際の手順が格納されている。また、装置記憶部３０４には、対向装置として第１の装置２０１Ｃが伝送路で接続されている装置および装置の宛先の情報が格納されている。同様に第２の装置２０２ＣもＡＰＳ切替制御情報送信部２４２Ｃ、装置検索部３０５および装置記憶部３０６を備えている。第１の装置２０１ＣのＡＰＳ切替制御情報送信部２３６Ｃと第２の装置２０２ＣのＡＰＳ切替情報受信部２３７の間および第２の装置２０２ＣのＡＰＳ切替制御情報送信部２４２Ｃと第１の装置２０１ＣのＡＰＳ切替情報受信部２４３の間には、それぞれ通信経路のみが確立されている。
【０１０８】
次にこの情報送受信装置を配置したシステムの動作について説明する。第１の装置２０１ＣのＡＰＳ切替制御情報送信部２３６ＣにＡＰＳ切替制御情報２３３が送信されるまでの処理部分の動作および、第２の装置２０２ＣのＡＰＳ切替制御情報受信部２３７がＡＰＳ切替制御情報２３３を受信した以降の処理部分の動作については、図１４で説明した第２の実施例と同様であるのでそれらの説明を省略する。ＡＰＳ切替制御情報送信部２３６Ｃは装置検索部３０３を用いて、ＡＰＳ切替制御情報２３３を送るべき装置を、装置記憶部３０４から検索する。ここで検索された対向装置に対してＡＰＳ切替制御情報送信部２３６Ｃから、ＡＰＳ切替制御情報２３３を送信する。図１５では、ＡＰＳ切替制御情報２３３は第２の装置２０２Ｃに対して送信されるようになっている。したがって、第２の装置２０２ＣのＡＰＳ切替情報受信部２３７は、ＡＰＳ切替制御情報２３３を受信することができる。ここでは、第１の装置２０１Ｃから第２の装置２０２Ｃ方向へＡＰＳ切替制御情報２３３を送信する処理について説明を行ったが、第２の装置２０２Ｃから第１の装置２０１Ｃ方向の処理についても同様である。
【０１０９】
第２の実施例の変形例では、装置内部にこの装置と伝送路で接続された装置、あるいは装置の宛先を格納した装置記憶部を備えていて、ＡＰＳ切替制御情報を送信するたびに、宛先となる装置に対して通信経路を設定して送信するようになっている。したがって、第２の実施例のようにＡＰＳ切替制御監視装置を配置しなくとも、複数の装置とＡＰＳ切替制御情報の送受信を行う場合に、通信経路の構成を簡素化することができる。
【０１１０】
発明の変形の可能性
【０１１１】
以上説明した第１の実施例では、監視パスをイーサネットで構成したが、例えば無線接続や光ケーブルによる接続のような手法で監視パスを構成してもよい。また、信号のセクションオーバへッド以外の部分にＡＰＳ切替制御情報を設定する領域を設けて、これを監視パスとしてもよい。信号のセクションオーバへッド以外の部分にＡＰＳ制御に関する情報を組み込むことは、ベルコア規定には抵触しない。したがって、例えば現在使用している運用伝送路を送信される信号のセクションオーバへッド以外の部分にＡＰＳ制御に関する情報を組み込むことによって、本発明の効果を得ることができる。
【０１１２】
【発明の効果】
【０１１３】
以上説明したように、請求項１〜請求項５記載の情報送受信装置を用いることによって、主信号の障害情報を冗長度を持って、対向する装置間で送受信することができる。また、通信経路情報付加情報受信手段によって受信される通信経路情報付加情報は、障害情報受信手段によって受信される障害情報よりも優先度が低く設定されている。すなわち、障害情報が受信されている場合には、通信経路情報付加情報を受信する必要はないことになる。したがって、既存の障害情報を送受信する処理部を持った情報送受信装置と、この情報処理装置と障害情報を送受信する既存の処理部を持ち本発明の適用により通信経路情報付加情報を送受信する処理部が備えられている情報送受信装置の間で障害情報の送受信を行っても、通信経路情報付加情報の送受信が行えないだけで、既存の障害情報の送受信にはなんら影響を及ぼさないことになる。また、このとき既存の障害情報の送受信は特別な設定なしで行うことができる。これによって、既に障害情報の送受信を行う処理部が設けられている対向する装置間で、本発明を適用する場合に片方ずつ順に適用しても、既存の障害情報の送受信については問題がないので、同時に適用する場合と比較して一度に用意するコストを低くすることができる。
【図面の簡単な説明】
【図１】本発明の第１の実施例で示した情報送受信装置を配置したシステムの概要を表わしたブロック図である。
【図２】本発明の第１の実施例で示した第１の装置の伝送路障害監視部が障害の発生を感知したときの処理を表わした流れ図である。
【図３】本発明の第１の実施例で示した第１の装置の制御部が障害情報を送信されたときの処理を表わした流れ図である。
【図４】本発明の第１の実施例で示した第１の装置のＫ１バイトおよびＫ２バイト送信部が自装置伝送路切替制御情報を送信されたときの処理を表わした流れ図である。
【図５】本発明の第１の実施例で示した第１の装置のＡＰＳ切替制御情報変換部が自装置伝送路切替制御情報を送信されたときの処理を表わした流れ図である。
【図６】本発明の第１の実施例で示した第１の装置のＡＰＳ切替制御情報送信部がＡＰＳ切替制御情報を送信されたときの処理を表わした流れ図である。
【図７】本発明の第１の実施例で示した第２の装置のＫ１バイトおよびＫ２バイト受信部が伝送路から信号を受信したときの処理を表わした流れ図である。
【図８】本発明の第１の実施例で示した第２の装置のＡＰＳ切替制御情報変換部がＡＰＳ切替制御情報を送信されたときの処理を表わした流れ図である。
【図９】本発明の第１の実施例で示した第２の装置の制御部が対向装置伝送路切替制御情報を受信したときの処理を表わした流れ図である。
【図１０】図９のステップＳ６７１で示した制御部が対向装置伝送路切替制御情報を受信したときの処理を具体的に表わした流れ図である。
【図１１】本発明の第１の実施例を適用した双方向通信を行っているＡＰＳ制御機能を有する伝送装置間で、伝送路に二次障害が発生した様子を表わしたブロック図である。
【図１２】本発明の第２の実施例で示した情報送受信装置を配置したシステムの概要を表わしたブロック図である。
【図１３】本発明の第２の実施例で示したＡＰＳ切替制御監視装置がＡＰＳ切替制御情報を受信したときの処理の流れを表わした流れ図である。
【図１４】本発明の第２の実施例を適用した双方向通信を行っているＡＰＳ制御機能を有する伝送装置間で、伝送路に二次障害が発生した様子を表わしたブロック図である。
【図１５】本発明の第２の実施例の変形例を適用した双方向通信を行っているＡＰＳ制御機能を有する伝送装置間で、伝送路に二次障害が発生した様子を表わしたブロック図である。
【図１６】従来のＡＰＳ制御機能を有する伝送装置間の双方向通信を表わしたブロック図である。
【図１７】図１６に示した従来の双方向通信を行っているＡＰＳ制御機能を有する伝送装置間で伝送路に一次障害が発生した様子を表わしたブロック図である。
【図１８】図１７に示した従来の双方向通信を行っているＡＰＳ制御機能を有する伝送装置間で伝送路に二次障害が発生した様子を表わしたブロック図である。
【図１９】従来の技術で示された運用伝送路と予備伝送路を用いて、伝送路の状態を対向する装置に送信するシステムの構成を表わしたブロック図である。
【符号の説明】
１０７、１１９  伝送路障害監視部
１０８、１１８、２３４、２３９  制御部
１１０、２２４、２３０  Ｋ１バイトおよびＫ２バイト送信部
１１１、２０８、２０９、２１５、２１６  Ｋ１バイトおよびＫ２バイト挿入部
１１２、１１７、２３５、２３８  ＡＰＳ切替制御情報変換部
１１３、２３６、２３６Ｃ、２４２、２４２Ｃ、３０２  ＡＰＳ切替制御情報送信部
１１５、２３７、２４３、３０５  ＡＰＳ切替制御情報受信部
１１６、２１０、２１１、２１７、２１８  Ｋ１バイトおよびＫ２バイト受信部
３０１  ＡＰＳ切替制御監視装置
３０３、３０５  装置検索部
３０４、３０６  装置記憶部
【図１】
0003667682.tif 000002
【図２】
0003667682.tif 000003
【図３】
0003667682.tif 000004
【図４】
0003667682.tif 000005
【図５】
0003667682.tif 000006
【図６】
0003667682.tif 000007
【図７】
0003667682.tif 000008
【図８】
0003667682.tif 000009
【図９】
0003667682.tif 000010
【図１０】
0003667682.tif 000011
【図１１】
0003667682.tif 000012
【図１２】
0003667682.tif 000013
【図１３】
0003667682.tif 000014
【図１４】
0003667682.tif 000015
【図１５】
0003667682.tif 000016
【図１６】
0003667682.tif 000017
【図１７】
0003667682.tif 000018
【図１８】
0003667682.tif 000019
【図１９】
0003667682.tif 000020